(57)【要約】      （修正有）【課題】充分な機能を維持している製品（すなわち、空のスプレー瓶）の再利用を促進するためのデイスペンサーを提供する。【解決手段】  再装填可能なディスペンサー、特に、再装填するために少なくとも一つの化学品リザーバ（１１２０）を含むスプレー瓶ディスペンサー（１１００）。再装填可能なディスペンサーは、好ましくは、溶媒リザーバと化学品濃縮物リザーバを別々に備える。【選択図】  図３２
2005289518.tif 000002
【特許請求の範囲】
【請求項１】
スプレー分与装置であって、 溶媒液を含む第１液体リザーバと；
化学品濃縮液を含む第２液体リザーバと；
上記第１及び第２リザーバと関連したスプレーヘッドと；
上記第１液体リザーバと上記スプレーヘッドとを連結する第１ダウンチューブと；
上記第２液体リザーバと上記スプレーヘッドとを連結する第２ダウンチューブとを含むスプレー分与装置。
【発明の詳細な説明】
【技術分野】
【０００１】
再装填可能なディスペンサー関連出願  この出願は１９９４年７月２５日に出願された「再装填可能なディスペンサー」と題する米国特許出願第０８/２７９,９７８号の一部継続出願であり、その内容を援用して本文の記載の一部とする。
【０００２】
本発明は再装填可能なディスペンサーに関し、特に、再装填または再補充することができる再装填可能なスプレー瓶ディスペンサーに関する。さらに詳細には、本発明は、特に、化学品を含むリザーバと水または溶剤を再補充可能なリザーバとをスプレー瓶ディスペンサーに関連付けて有し、それゆえ、当該再補充可能なリザーバに水または溶媒を加えるだけで再装填することができるスプレー瓶ディスペンサーに関する。さらに、本発明は、本発明に従う再装填可能なディスペンサーとともに使用するための瓶（ボトル）及びアダプタに関する。
【背景技術】
【０００３】
化学試薬（例えば、水、洗浄液、石鹸、殺虫剤、ヘアースプレー等）を分与するためにスプレー瓶を使用することが良く知られている。大気中に放出される揮発性有機炭素（ＶＯＣ）の量を制限する規則により、もともとエアゾールに含まれて分与される製品は、現在、スプレー瓶と取り替えられつつある。
【０００４】
化学試薬の瓶詰め業者（ボトラー）は、一般に、空のプラスチック容器瓶とスプレーヘッドを別々に購入して、彼らの製品を市場で販売する。瓶詰め業者は中身を充填し、組立し、そして完成したスプレー瓶パッケージにラベルを貼る付けて小売店に配送する。消費者は、充填されたスプレー瓶を店頭販売で購入し、そしてスプレー瓶内の化学品を消費する。殆どの消費者は、スプレー瓶の内容物を一回使用した後にスプレー瓶を廃棄する。しかしながら、そのプラスチック瓶はかなり耐化学性であり、スプレーヘッドは中身を消費した後も十分な機能を維持している。それゆえ、スプレー瓶は、化学試薬を収容し、分与することに関してまだ十分に機能する。従来の店頭販売型のスプレー瓶は、化学濃縮物と水とで何度も再装填することができる（すなわち、十分な操作を維持しつつ、少なくとも１０回、可能ならば１００回再装填することができる）。それゆえ、消費者は高い利用価値を有する再使用可能な製品（すなわち、空のスプレー瓶）を大量に処分している。
【発明の開示】
【発明が解決しようとする課題】
【０００５】
公害を抑制する多くの規制がある今日の状況下、資源を保存し、ごみ処理地の廃棄物を減らす消費者及び産業の自覚において、用途を維持する製品を再利用を促進し、もはや何らの用途もない製品のみを処分することが強く望まれている。
【０００６】
多くの瓶詰め業者は、現在、種々のサイズの容器に入った濃縮物を販売し、消費者は店頭販売型のスプレー瓶にそれらの特定の濃縮物を再装填することができる。しかしながら、多くの消費者は、スプレー瓶の再装填に係わる処置がいくらか不便であるので、かかる方法を好んで採用しないことが明らかである。特に、スプレーヘッドを取り除き、化学品濃縮物の容器を開け、化学品濃縮物を空のスプレー瓶に注ぎ、水を加え、そしてスプレーヘッドを再び瓶に装着する際に、いくつかの不都合がある。さらに、消費者は明らかにスプレー瓶の再装填に興味なない。これはスプレー瓶の再装填に不慣れであり、あまり気が進まないからである。また、消費者は、化学品加工者が瓶詰め業者のために行なう液体の混合及び希釈に関する知識に欠けることも明らかである。さらに、再装填は、通常、面倒な作業であり、かなりの不便をもたらす。なぜなら、化学品濃縮物を一つの容器から他の容器に注ぐ際に、化学品濃縮物がこぼれ、あふれることがあり、また、充満されるまでは瓶が不安定であるために充満した瓶を偶然にもひっくり返すことや他の望まない事態が起こり得るからである。
【０００７】
重要なことは、消費者は化学品濃縮物の威力のある化学的特性を知らないために、消費者が化学品濃縮物の多種の容器（例えば、パイント、クォート、ガロン、リットルサイズ）を輸送し、取扱うことは極めて危険になるということである。特に、濃縮物の化学品の漏れは床、カーペット、台所や風呂場のカウンタートップ、棚を含む家庭の回りの品物並びに化学品濃縮物が接触することになり得る品物に損害を及ぼすことになる。さらに、化学品濃縮物はそれらに偶然に接触する人間にかなり大きな健康の危害を与え、組織のやけどや他の危害をもたらす。
【０００８】
最も重要なことは、化学品濃縮物は、偶然にも化学品濃縮物を摂取し、毒殺されることにもなり得る子供への大きな危険を与える。この点で、化学品濃縮物は店頭販売型のスプレー瓶に含まれる希釈された化学試薬に比べて、永続性の傷又は死をもたらす可能性がかなりある。
【０００９】
本発明の第１の目的は、再装填可能なディスペンサー、特に、スプレー瓶ディスペンサーであって、当該スプレー瓶ディスペンサーに関連付けられた化学品濃縮物リザーバと水または溶剤リザーバとを有するディスペンサーを提供することにある。
【００１０】
本発明の第２の目的は、再装填可能なディスペンサー、特に、スプレー瓶ディスペンサーであって、当該スプレー瓶ディスペンサー内に配置された化学品濃縮物リザーバと水または溶剤リザーバとを有するディスペンサーを提供することにある。
【００１１】
本発明の第３の目的は、化学品濃縮物リザーバと水または溶媒リザーバを有する瓶を含む再装填可能なディスペンサー、特に、スプレー瓶ディスペンサーを提供することにある。
【００１２】
本発明の第４の目的は、化学品濃縮物リザーバと再補充可能な水または溶剤リザーバとを有する再装填可能なディスペンサー、特に、スプレー瓶ディスペンサーを提供することにある。
【００１３】
本発明の第５の目的は、再補充可能な化学品濃縮物リザーバと再補充可能な水または溶剤リザーバとを有する再装填可能なディスペンサー、特に、スプレー瓶ディスペンサーを提供することにある。
【００１４】
これら及び他の目的は、本発明に従う再装填可能なディスペンサー、特に、本発明に従うスプレー瓶ディスペンサーによって達成することができる。
【課題を解決するための手段】
【００１５】
本発明に従う主要な概念は、再装填可能なディスペンサー、特に、少なくとも一つの化学品の供給源を有してスプレー瓶ディスペンサーを少なくとも一回再充填させるスプレー瓶ディスペンサーパッケージを提供することにある。化学品は、気体、液体、半固体または固体状になり得る。特に化学品液は、一相混合物、二相混合物、分散体または液体特性を有する他の任意の化学試薬になり得る。化学品半固体は、まだ液体型の特性を示す、スラリー、ペースト、固体分散液の形態になり得、固体は、粉末、粒体、タブレット、他の固形材料状の形態になり得る。
【００１６】
化学品は、好ましくは、溶媒、特に、淡水で容易に希釈される濃縮された化学品である。化学品は直ちに希釈できることが好ましいが、２４時間またはそれより長い期間にて溶液になることができる化学物質は潜在的にいくつかの用途に好適になる。
【００１７】
本発明の好ましい具体例は、少なくとも一つの化学品をスプレー瓶ディスペンサー自体に関連付けることに係わる。特に、化学品は幾つかの方法で貯蔵され、内部的にまたは外部的にスプレー瓶ディスペンサーに直接連結される。しかしながら、本発明は、その範囲が一層広く、化学品とスプレー瓶ディスペンサーを共にパッケージングして（すなわち、間接的に連結して）店頭販売することを含む。本発明のこの具体例において、化学品供給源とスプレー瓶ディスペンサーを含むパッケージを購入し、家庭で、瓶詰め業者によって充填されたスプレー瓶ディスペンサーをパッケージから分離し、スプレー瓶ディスペンサーとは別のパッケージの化学品部分を家庭で保管するであろう。次いで、ユーザーはスプレー瓶ディスペンサーの初期の内容物を消費した際に、スプレー瓶ディスペンサーを再充填するために、保管した化学品を埋め合わせる。
【００１８】
本発明の好ましい具体例は、少なくとも一回分の化学品を直接または間接的にスプレー瓶ディスペンサーの内側または外側に貯蔵する。スプレー瓶ディスペンサーと間接的に連結する場合には、プラスチック片のような機械式締め具が外部の化学品リザーバをスプレー瓶ディスペンサーに連結する。スプレー瓶ディスペンサーと直接的に連結する場合には、化学品リザーバがスプレー瓶ディスペンサーと内部的または外部的に直接連結する。最も好ましい具体例は、少なくとも一回分の化学品をスプレー瓶ディスペンサーの内部、特に底部に貯蔵し、スプレー瓶ディスペンサーの使用可能期間を通じて化学品の意図しない溢れや漏れを完全に包含する。これらの最も好ましい具体例は、取扱、再充填及び化学品との接触から家財を保護する実質的な利点をもたらし、最も重要なことは子供が化学品を偶然に摂取することを防止することである。この特別な点は、店頭で瓶詰め業者により現在販売されている希釈された化学試薬に比べて化学品濃縮物が一層大きな威力を有するために本質的に重要である。
【００１９】
最も好ましい具体例は、また、プラスチック瓶、プラスチックスプレーヘッド及びプラスチックダウンチューブを含む、慣用のスプレー瓶ディスペンサーを利用する。本発明を具体化する製品を促進するためには、製品は大量の販売及び消費が行われることから、容易に入手可能であり比較的に非常に安価である標準部品を利用することが極めて重要である。それゆえ、化学品を貯蔵するための付け足し型の化学品リザーバが極めて望ましい。
【００２０】
最も好ましい付け足し型の化学品リザーバはスプレー瓶ディスペンサーの底部内に受容された挿入物である。このタイプの挿入物は、高容量で極端に安く製造することができ、一方で安全且つ信頼性のある製品に必要な全ての性能特性を備える。特に、挿入物は、種々の方法でアクセス可能な化学品を含む少なくとも一つの室または小室とともに製造することができる。例えば、リザーバは、器具、特にダウンチューブの先端で破裂させることができる膜で封止することができる。あるいは、化学品リザーバの壁は、化学品リザーバに外圧を加えた際に容易に破裂するように設計または形状化することができる。化学品リザーバに弱部の線を加えること、壁を薄くすること及び化学品リザーバの一部を部分的に弱くする他の手段を本発明の使用のために実行することができる。
【００２１】
あるいは、通常のスプレー瓶ディスペンサーの少なくとも一つの部品（例えば、瓶部、スプレーヘッド部、ダウンチューブ）を改良して化学品リザーバをもたらすことができる。例えば、瓶部の底の少なくとも一つの側部に化学品リザーバを成型することにより瓶部の壁または底を改良することができ、スプレーヘッド部に化学品リザーバを備えることができ、ダウンチューブを付け足し型化学品リザーバを備えることができ、またはダウンチューブの壁を成型して化学品リザーバを提供することができる。しかしながら、これらの手法の全ては、本発明に従う挿入物の使用によって必要でない通常の部品を改良することにより最初のうちは実質的にコスト高になる。
【００２２】
本発明に従う挿入物は多くの異なる形態及び形状を採用することができる。挿入物の第１の好ましい具体例は少なくとも一つの室または小室を内部に有する円柱によって明確になる。この円柱の内部に少なくとも一つの二分する壁を設けて円柱の長さ方向に沿った室を区画することができる。少なくとも一つの二分する壁を有するプラスチック円柱はプラスチックを押し出すことによって容易に得ることができる。挿入物の少なくとも一つの室の頂部及び底部は上方及び下方封止膜により封止される。膜は、フィルム、フォイル、フィルムとフォイルの複合物または、耐化学性であり且つ器具、特にダウンチューブの先端で容易に穴を開け、または破裂させることができる他の好適な複合材にすることができる。
【００２３】
上方及び下方封止膜は、結合、接着結合、熱結合、音波溶接または液体をしっかりと封止する好適な方法（例えば、気密シール）によって挿入物に接続することができる。
【００２４】
この具体例の挿入物は、店頭販売において、充填したスプレー瓶ディスペンサーの内部に含まれた形で市場に出される。ダウンチューブはこの挿入物の開放室を通って瓶部の下方部に延在し、製造の間に瓶詰め業者により加えられた予め混合された化学試薬にアクセスする。化学試薬が消費された後に、ユーザーはスプレーヘッドの螺子を外し、ダウンチューブを瓶部から持ち上げる。挿入物が回転され、開放室が以前に位置していたところに化学品リザーバが位置づけられる（すなわち、ダウンチューブによりパンクさせられる位置にここで位置決めされる）。次いでユーザーはダウンチューブの先端を上方の封止膜に押し当て、その室を通して下方の封止膜をパンクさせる。ダウンチューブでパンクさせて化学品リザーバにアクセスする工程の前または後に、挿入物の開放室を通じて水を加えることができる。この構造は化学品を常にスプレー瓶ディスペンサーの内部に貯蔵させることを可能にし、スプレー瓶ディスペンサーの再充填に必要な工程を最小にする。
【００２５】
消費者は、スプレーヘッド及びダウンチューブを瓶部から取り出し、挿入物を回転し、化学品リザーバをパンクさせ、挿入物の開放室を通じて水を加え、そしてスプレーヘッド部を瓶部に再組立する際にあまり不便を感じないであろう。さらに、挿入物内に貯蔵された化学品濃縮物は取扱に極めて安全であり、子供が偶然に摂取することを防止する（すなわち、子供は首尾よくスプレーヘッドを螺子を回して瓶部から外し、ダウンチューブを完全に瓶部から取り出し、そして首尾よく挿入物をパンクさせなければならないであろう）。さらに、子供が挿入物をパンクさせた場合でも、上方封止膜を通る接近開放部は十分に小さいので化学品をこぼすことは実質的に制限され、子供が容易に摂取することを防止する。それゆえ、本発明は大量の化学品濃縮物を店頭販売する現在の方法よりもずっと安全であり、消費者に後に家庭で化学品濃縮物を取扱わせ、混合させる。
【００２６】
この特定の挿入物は１、２、３、４又は５つ以上の分離した室または小室をもつことができる。例えば、４つの小室の場合、一つの小室は、スプレー瓶ディスペンサーに希釈した化学品の初期の充填が行われるときの組立の間に瓶詰め業者によってダウンチューブが置かれる開放小室になる。それゆえ、この例では、３つの小室を分離した３つの化学品リザーバとして使用することができる。この４つの小室の構造はユーザーにスプレー瓶ディスペンサーの予混合した希釈化学試薬を最初に消費させて、次いで、スプレー瓶ディスペンサー中に含まれる全ての化学品を消費する前にあと３回スプレー瓶ディスペンサーを再充填させる。この時点で消費者がスプレー瓶ディスペンサーを廃棄するならば、廃棄する前に一回スプレー瓶ディスペンサーを使用する消費者の現在の慣行に対して３回の改良をもたらすであろう。それゆえ、もしそれが完全に実施されれば、スプレー瓶ディスペンサーの消費は３倍低下する（すなわち、４分の一の浪費ですむ）。
【００２７】
しかしながら、本発明は消費者による現在の慣行に対してさらに大きな改良をもたらすことができる。特に、挿入物は、挿入物を持たない慣用の店頭販売型のスプレー瓶ディスペンサーにその内容物の初期の消費後にくわえることができる分離品として、あるいは、本発明に従う挿入物を有するスプレー瓶ディスペンサーのユニットとして初期に販売された挿入物の化学品が完全に消費した後に、そのスプレー瓶ディスペンサーとともに使用するために、店頭販売されることもできる。
【００２８】
この新しいシステムは、輸送重量と輸送に関わるコストを極めて低減し、製品を売買するための小売店の棚スペースを低減し、そして最も重要なことにはプラスチック材料の消費及び浪費を低減することになるであろう。特に、上記４室の挿入物を製造するのに必要なプラスチックの量は、使用可能な希釈化学試薬の等しい量を基準とした４つの従来のスプレー瓶ディスペンサーのプラスチックの重量に比べて小部分にすぎない。さらに、化学品が完全に消費されたとき、挿入物は、何回も再使用可能な空の従来のスプレー瓶ディスペンサーの利用価値に比べて殆ど利用価値を持たない。さらに、従来のスプレー瓶ディスペンサーは、本発明に従う挿入物に比べて製造コストが極めて高く、従来のスプレー瓶ディスペンサー部品の製造に関わる労力並びに他の直接及び間接のコストは本発明に従う挿入物に比べて相当かかる。さらに、本発明に従う挿入物は容易に再使用することができ、もし、適当なシステムが開発されてかかる挿入物を再加工されるならば、再充填可能である。しかしながら、おそらく、挿入物はその便利性ゆえに消費者によって処分されるであろう。
【００２９】
本発明に従う挿入物の第２具体例は、スプレー瓶ディスペンサー内に配置することができる化学品リザーバの柔片を形成することに関わる。化学品リザーバの条片は、高速で製造することができ、おそらく連続条片として製造され、各スプレー瓶ディスペンサー中での隔離を終えたときにの長さで切断される。条片型の挿入物は高速成型法によって製造することができ、例えば、プラスチック条片から化学品リザーバを形成し、化学品リザーバを化学品で充填し、化学品リザーバを密封することによって製造することができる。次いで、この完成した条片をスプレー瓶ディスペンサーに加えるべきリザーバの数に応じた長さに切断し、好ましくは、接着剤または他の方法で瓶部の内側に固着される。プラスチック柔片でできた化学品リザーバは上記法で作製され、それゆえ、化学品リザーバは、器具、とくにダウンチューブの先端で穴を開けるかまたは化学品リザーバに圧力を加えて破裂させることができる。ユーザーは、少なくとも一つ（すなわち、１，２，３個等）の化学品リザーバを破裂させて希釈化学試薬の濃度を特別に調整することができる。それゆえ、本発明に従う概念は、消費者に、従来のスプレー瓶ディスペンサーでは現在入手不可能な濃度を選択させる自由を与える。
【００３０】
第３の具体例において、複数の分離した化学品リザーバを瓶部内に加えることができる。円柱状化学品リザーバは器具、とくにダウンチューブの先端で穴を開けることができる上部封止膜を備える。複数の円柱状化学品リザーバは分離したユニットにすることができまたは、条片または他の手段によって互いに結合することができる。円柱状化学品リザーバは好ましくは瓶部の底壁に位置させてダウンチューブの先端で穴を開ける操作を容易にすることができる。
【００３１】
第４の具体例において、円柱状化学品リザーバは瓶部の側壁を橋渡しする。円柱状化学品リザーバをそのように製造して、円柱状化学品リザーバを、円柱状化学品リザーバの位置の壁を単に押し合わせることで破裂させることができる。
【００３２】
第５の具体例において、分離したドーナツ型の化学品リザーバが従来のダウンチューブに加えられる。ドーナツ型の化学品リザーバは、穴を開けまたは破裂させて化学品を取り出すように製造される。あるいは、ドーナツ型の化学品リザーバ内側表面に少なくと一つの小穴を設け、それをダウンチューブ自体で密封することができる（密封を確実にするために接着剤を用い得る）。このタイプの構造において、ドーナツ型リザーバ内の化学品は、ドーナツ型リザーバを単純にダウンチューブから抜き、ドーナツ型リザーバの内側壁の開口部（小穴）を露出することによって取り出すことができる。ドーナツ型リザーバは、瓶部からスプレーヘッド部を螺子回して外し、最下部のドーナツ型リザーバが瓶部の開口またはその近傍に位置するまでダウンチューブを底部から持ち上げ、瓶部の開口にて手の指でドーナツ型リザーバ４１０を掴み、次いでもう一方の手でそのドーナツ型リザーバをダウンチューブから外すようにダウンチューブを持ち上げ、そしてドーナツ型リザーバを瓶に落下させる。その前後に水を加えて、濃縮物を希釈化学試薬を調製する。
【００３３】
第６の具体例において、階段状の且つ積み重ね配列の複数のリザーバが挿入物に設けられる。頂部リザーバは、底部リザーバに比べて幅が薄く、深さが深い。頂部リザーバと底部リザーバの寸法の間の寸法を有する少なくとも一つのリザーバが頂部リザーバと底部リザーバの間に設けられる。この階段状且つ積み重ねの配置は、器具、特に、ダウンチューブの先端を任意の化学品リザーバに容易に接近させて各リザーバを封止する膜に穴を開けることを可能にする。
【００３４】
第７の具体例において、複数のリザーバが挿入物内に、積み重ね配置で提供される。各リザーバの頂部及び底部は封止膜で密封されている。この挿入物を含むスプレー瓶ディスペンサーを使用する人は、最初に、第１の再装填操作の間に上方リザーバの上部及び下部封止膜に穴を開け、第２の再装填操作の間に中央のリザーバの化学品にアクセスするために中央リザーバの上部及び下部封止膜に穴を開け、そして第３の再装填操作の間に３番目のリザーバに同様の事を行う。
【発明を実施するための最良の形態】
【００３５】
定義
本発明に従うスプレー瓶ディスペンサーは、化学品を含む一以上のリザーバ（即ち、化学品リザーバ）を含む。
【００３６】
化学品リザーバは、パッケージングによりスプレー瓶ディスペンサーと間接的に関連した別のユニットにすることができ、あるいはスプレー瓶ディスペンサーに外部的にまたは内部的に連結することによりスプレー瓶ディスペンサーに直接的に関連させることができる。好ましい具体例は、一以上の化学品リザーバを内部に含み、最も好ましくは、瓶部内に含み当該一以上の化学品リザーバからの意図しない化学品の漏れまたは放出物を完全に包含する。
【００３７】
化学品リザーバを、スプレー瓶ディスペンサーと外部的に連結する場合、瓶部またはスプレーヘッドと連結する、あるいは瓶部及びスプレーヘッドの両方と連結するプラスチックのタブまたは条辺のコネクターのような分離片の機械式締め具によって連結することができる。
【００３８】
あるいは、化学品リザーバは、瓶部、スプレーヘッド部、及び／またはダウンチューブの一体品として形成することができる。その一体品の具体例において、化学品リザーバは、接着剤、プラスチック溶接、プラスチック成形（例えば、成型）または他の手段により連結することによってリザーバを直接スプレー瓶ディスペンサー部品に一体化することができる。
【００３９】
好ましい具体例において、スプレー瓶ディスペンサーは一以上の分離した化学品リザーバを備え、スプレー瓶ディスペンサーを一回以上再装填させる。最も好ましい具体例において、スプレー瓶ディスペンサーは複数の別個の化学品リザーバを備え、ユーザーに一回の再装填の間に２以上の化学品リザーバにアクセスさせて当該再装填操作における再装填混合物の化学品濃度を増大する（例えば、２倍、３倍、４倍等）。
【００４０】
化学品リザーバは、製造を簡略化し、製造コストを低減するために同一のユニットにすることができ、あるいは、化学品リザーバ同士で異なるサイズ、形状、及び／または構造にすることができる。例えば、内部的及び外部的にも結合された化学品リザーバを適用することができ、且つ／または一体式及び別個のタイプの化学品リザーバを組み合わせることができる。
【００４１】
スプレー瓶ディスペンサーの一以上の化学品リザーバは化学品を含む。特に、リザーバは、単一の化学組成物のみ、化学品の一相混合物、化学品の二相混合物、分散液または任意の他の液状化学品で充填または部分的に充填することができる。あるいは、化学品は、タフルット、粉体若しくは粒体、または濃厚なスラリーのような半固体の形態にすることができる。いずれの場合でも、リザーバは、溶媒、特に淡水により容易に希釈または溶解することができる化学試薬を含むべきである。
【００４２】
本発明に従うスプレー瓶ディスペンサー１０の好ましい具体例を、図１〜５に示す。スプレー瓶はカプラー１６を含むスプレーヘッド部１２を有する。カプラー１６はその内側に螺子部が形成され、螺子部が外側に付けられた瓶部１４の首部に螺合されている。ダウンチューブ１８はスプレーヘッド部１２に連結されており、瓶部１４の底に向かって延在する。
【００４３】
スプレー瓶ディスペンサー１０には、３つの分離した室２２，２４及び２６を有する挿入物２０が装着される。図２に示した挿入物２０の具体例において、挿入物２０は、挿入物２０の上部にリム２８を備える。リム２８は、図５に示したように、瓶１４の螺子付首部３０の内径よりも大きな径を有する。それゆえ、リム２８は挿入物２０を瓶１４内に吊るように機能する。
【００４４】
室２２，２４及び２６は、予め決められた量の濃縮液を各室内で貯蔵するために使用される。図５に示したように、室２４及び２６はその頂部にて上方封止膜３２により密封されており、室２４及び２６の底部は下方封止膜３４により密封されている。室２２は、開放され（即ち、封止膜３２、３４により覆われておらず）、ダウンチューブを収容しており、また、水のような溶媒を挿入物２０を通じて瓶部１４に加えることを可能にする。
【００４５】
挿入物２０は、好ましくは、好適なプラスチック材料から製造され、そして上方封止膜３２及び下方封止膜３４は好ましくは好適なプラスチックフィルム、金属ホイル、または他の好適な単一または複合膜から製造される。膜は、内容物に対して耐化学性であり且つ挿入物をしっかり液体シールさせるのに好適なものにすべきである。上方封止膜３２及び下方封止膜３４は種々の手段により挿入物２０に取り付けることができる。例えば、膜３２及び膜３４は、結合、接着結合、熱溶接、音波溶接、または室２２，２４及び２６にしっかりとした液体シールをもたらすのに好適な任意の慣用手段（例えば、気密シール）により取り付けることができる。
【００４６】
図１に示した挿入物２０の代わりに、好適な構造を有する他の種々の挿入物を用いることができる。例えば、図６Ａに、開放した中央室３６及び４つの化学品室３７，３８，３９及び４０を有する５室挿入物２０’を示し、図６Ｂに、室４１，４２，４３及び４４を有する４室挿入物２０”を示す。さらに、挿入物の瓶１４の長さに対する長さは、挿入物中に用いられる濃縮物の異なる濃縮レベルに基づいて実質的に変化させることができる。特に、いっそう高い濃度の濃縮物は挿入物の室内でより小さい容積で足り、それゆえ、挿入物の必要な長さを減らす。
【００４７】
挿入物２０は、種々の異なる技法で製造することができるが、射出成形または押し出し法が最も好適な製造方法である。
【００４８】
挿入物２０は、瓶の内部に収容した形で店頭販売することができ、且つ／または従来のスプレー瓶内に挿入することができる別のユニットとして売買することができる。
【００４９】
挿入物２０を瓶の内部に収容した形で販売の対象とする場合には、３つの室２２，２４及び２６は始めから化学品リザーバにすることができる。瓶は水または他の好適な希釈液で充満されており、室２２を密封する頂部封止膜３２及び底部封止膜３４は、スプレーヘッドを底部に確実に留めてパッケージング組立品を完成させる前に、ダウンチューブ１８を瓶部に挿入する間にダウンチューブ１８の先端が差し込まれて穴が開けられる。あるいは、室２２を開放して（すなわち、上記のように、液体濃縮物をなくし）、瓶を最初から適当な濃度に希釈された化学試薬液で充満して市場に出してもよい。この場合、ダウンチューブ１８は組立の間に開放室２２に挿入される。図３に示したように３室を有する具体例において、室２４及び２６に含まれる濃縮物の２回の追加放出は、後に消費者がそれらの室を破って瓶に濃縮物を放出することによって行うことができる。消費者は、瓶１４に、放出段階の前または後に空の室２２を通じて水を供給することができる。
【００５０】
本発明に従うスプレー瓶１００の第２具体例を図７〜９に示す。スプレー瓶１００はスプレーヘッド部１０２及び瓶部１０４を含む。スプレーヘッド部１０２は、スプレーヘッド部１０２を瓶部１０４の螺子付き首部に結合するための螺子付きカプラー１０６を含む。ダウンチューブ１０８はスプレーヘッド部１０２に連結されており、瓶部１０４の底部に向かって延在する。
【００５１】
この第２具体例において、液体濃縮物を含む複数の化学品リザーバを有する柔片１１０が瓶部１０２内に設けられる。柔片１１０は、瓶部１０４の一つの壁の内側表面に取り付けられている。柔片１１０の特定の位置は、図７に示した位置から瓶部１０４の側部及び／または底部の他の位置に変更することができる。化学品リザーバ１１２は、各々、ダウンチューブ１０８の先端をリザーバ１１２の表面に押し付けるかあるいは瓶部１０４の外側壁をつまんで化学品リザーバ１１２の少なくとも一つを破裂させかのいずれかによって破裂させることができるような方法で作製される。例えば、化学品リザーバ１１２は、図８及び９に示したように、その壁が薄弱な線部を少なくとも一本有するように作製することができる。
【００５２】
条片１１０は、好ましくは、不定の長さで製造され、次いで特定の用途の長さに切断される。それゆえ、異なる寸法の瓶はより多いあるいは少ない数の個々の化学品リザーバ１１２を有することが可能である。さらに、不定の長さにより条片を作製することは、瓶詰めの間に高速挿入するための条片１１０の高速製造を可能にするであろう。図８に示した具体例において、条片１１０は封止層１１８を条片１１０の背面に接続するための接着層１１６を備える。別の接着層１２０は条片１１０を瓶部１０４の壁に結合する。
【００５３】
図１０及び１１に、本発明に従うスプレー瓶ディスペンサー２００の第３の具体例を示す。スプレー瓶ディスペンサー２００はスプレーヘッド部２０２と瓶部２０４とを含む。スプレーヘッド部２０２は、スプレーヘッド部２０２を瓶部２０４の螺子付き首部に結合するための螺子付きカプラー２０６を含む。ダウンチューブ２０８はスプレーヘッド部２０２に連結されており、瓶部２０４の底部に向かって延在する。
【００５４】
この第３の具体例において、複数の化学品リザーバ２１０が瓶部２０４の底に設けられる。それらの化学品リザーバ２１０は独立した化学品リザーバすることができ、あるいは機械式カプラーによってなんらかの方法にて共に結合することができる。いずれの場合も化学品リザーバ２１０はそれらが瓶部２０４の開放口を通ることができるように製造しなければならない。
【００５５】
化学品リザーバ２１０の一つの詳細な断面図を図１１に示す。化学品リザーバ２１０は、その頂部に開放端２１２を有する円柱状または別の好適な形状にすることできる。開放端２１２は器具、特にダウンチューブ２０８の先端で穴を開けることができる金属箔によって封止されている。リザーバ２１０は少なくとも部分的に化学品濃縮液Ｌが充填されている。
【００５６】
使用時に、スプレー瓶ディスペンサー２００は、瓶詰業者によって希釈された化学品試薬が充填される。４つの化学品リザーバ２１０はそれぞれ少なくとも部分的に充満される。それゆえ、この特定の構造は４回の再装填操作を可能にする。各々の再装填操作は、スプレーヘッド部２０２の螺子付きカプラーの螺子を緩め、スプレーヘッド部２０２を、ダウンチューブ２０８の先端がリザーバ２１０の上面を超えるまで上方にわずかに傾けることから始める。次いで、ユーザーはダウンチューブ２０８の先端をリザーバ２１０の一つの金属箔２１４に押し込んで穴を開ける。瓶部２０４を、化学品リザーバ２１０の一つにアクセスする段階の前あるいは後に、水で満たす。
【００５７】
図１２〜１４に、本発明に従うスプレー瓶ディスペンサー３００の第４の具体例を示す。スプレー瓶ディスペンサー３００はスプレーヘッド部３０２と瓶部３０４とを含む。スプレーヘッド部３０２は、スプレーヘッド部３０２を瓶部３０４の螺子付き首部に結合するための螺子付きカプラー３０６を含む。ダウンチューブ３０８はスプレーヘッド部３０２に連結されており、瓶部３０４の底部に向かって延在する。
【００５８】
この第４の具体例において、条片３１０と３１２は複数の化学品リザーバ３１４を連結している。図１２に５つのリザーバを示すが、それより多くあるいは少ないリザーバを用いることができる。
【００５９】
このリザーバ３１４は、図１３及び１４に示したように薄弱な線部３１６を備える。薄弱な線部３１６はリザーバ３１４に力が加わったときにリザーバ３１４を破裂させる。例えば、化学品リザーバ３１４の一つが位置する瓶部３０４の側部を絞ってその化学品リザーバ３１４を破裂させることができる。
【００６０】
条片３１０及び３１２は、好ましくは、瓶部３０４の壁に固定される。例えば、条片３１０及び３１２は、接着剤で接着し、または音波溶接若しくは熱溶接で結合させる。条片３１０及び化学品リザーバはプラスチックから成型することができる。
【００６１】
この特定の具体例において、スプレー瓶ディスペンサー３００は少なくとも一つのリザーバ３１４を破裂させることによって再装填される。より多くのリザーバ３１４を破裂させると、希釈された化学試薬の濃度が一層高くなる。破裂操作の前後に水のような溶媒を加えることができる。スプレー瓶ディスペンサーは、複数回の再装填操作を可能にする複数のリザーバ３１４を含めて、瓶詰め業者によって希釈された化学試薬が充填されるのが好ましい。
【００６２】
図１５〜１７に、本発明に従うスプレー瓶ディスペンサー４００の第５の具体例が示されている。スプレー瓶ディスペンサー４００はスプレーヘッド部４０２及び瓶部４０４を含む。スプレーヘッド部４０２は、スプレーヘッド部４０２を瓶部４０４の螺子付き首部に結合するための螺子付きカプラー４０６を含む。ダウンチューブ４０８はスプレーヘッド部４０２に連結されており、瓶部４０４の底部に向かって延在する。
【００６３】
第５具体例において、複数のドーナツ型の化学品リザーバ４１０がダウンチューブ４０８上に設けられている。特に、ドーナツ型の化学品リザーバ４１０はそれぞれタウンチューブ４０８を通す中央穴４１２を有する。化学品リザーバ４１。は、図１６及び１７に示すように、化学試薬液Ｌを含む化学品リザーバ４１０の上端を密封するための金属箔４１４を備える。
【００６４】
使用の際、スプレー瓶ディスペンサー４００は、最初に、希釈された化学試薬が瓶詰め業者により充満されて、店頭販売される。希釈された化学試薬が最初に消費された後に、ユーザーは本体部４０４からスプレーヘッド部４０２をその螺子を回して外し、ダウンチューブ４０８を底部４０４から持ち上げる。次いで、ユーザーはリザーバ４１０の最下部を握り、単にダウンチューブ４０８の末端からそれを引き抜く。次いで、金属箔４１４に、器具、特に、ダウンチューブ４０８の先端で穴を開ける。穴が開いたリザーバは瓶部４０４内に落下させる。水のような溶媒を、リザーバ４１０の開穴段階の前に、瓶部４０４に加える。次いで、スプレーヘッド部４０２を瓶部４０４に螺子込むことによってスプレー瓶ディスペンサー４００を組み立てる。
【００６５】
ドーナツ型の化学品リザーバ４１０’の別の具体例を図１７Ｂに示す。この化学品リザーバ４１０’は、頂部が密封されて化学品濃縮液Ｌを含む環状室４１６を区画している。少なくとも一つの小孔４１８が貫通孔４１２’の内壁上に提供されて化学品がそこを通って逃げ出すことを可能にする。孔４１８は、ダウンチューブが中央孔１１８を通して挿入されるときに、ダウンチューブの外側表面によって密封される。さらに、接着剤またはシーラントの薄膜をドーナツ型の化学品リザーバとダウンチューブとの間に塗布してさらに孔４１８の封止を確実にすることができる。
【００６６】
スプレー瓶ディスペンサーの第６の具体例は、図１８〜２１に示したような挿入物５００を用いる。挿入物５００は、リップ部５０４を有するシリンダ部５０２と、シリンダ部５０２を上方リザーバ５０８に連結するコネクター部５０６と、上方リザーバ５０８を中央リザーバ５１２に連結するコネクター部５１０と、中央リザーバ５１２を下方リザーバ５１６に連結するコネクター部５１４とを含む。ダウンチューブ５１８は、中空シリンダ部５０２を通過するように示されているが、挿入物５００に連結されていない。
【００６７】
リザーバ５０８，５１２及び５１６は積み重ねて且つ階段状に配置されている。上方リザーバ５０８は下方リザーバ５１６に比べて幅が薄く、深さが深い。中央リザーバ５１２は上方リザーバ５０８と下方リザーバ５１６との間の寸法を有する。この階段状且つ積み重ねの配置は、挿入物がスプレー瓶ディスペンサー中に残ったまま、リザーバ５０８，５１２，５１６のリザーバの各々を密封する封止膜（図示しない）に穴を開ける器具をアクセスさせることを可能にする。
【００６８】
挿入物６００を有するスプレー瓶ディスペンサーの第７の具体例を図２２及び２３に示す。挿入物６００は、リップ部６０４を有するシリンダ部６０２と、シリンダ部６０２を上方リザーバ６１０に連結するコネクター部６０８と、上方リザーバ６１０を中央リザーバ６１４に連結するコネクター部６１２と、中央リザーバ６１４を下方リザーバ６１８に連結するコネクター部６１６とを含む。各リザーバ６１０，６１４及び６１８の頂部及び底部は開口であり、それぞれ、上部金属箔６２０及び下部金属箔６２２で密封されている。
【００６９】
使用時は、最初に、瓶詰め業者により希釈された化学試薬が充填され、ダウンチューブはシリンダ部６０２だけに通す。初期の希釈した化学試薬を消費した後に、ユーザーはダウンチューブを上方リザーバ６１０のレベルを超えるように引上げ、ダウンチューブの先端をリザーバ６１０の上部金属箔６２０と下部金属箔６２２に押し付け、化学品濃縮液を瓶部に放出させる。化学品濃縮液にアクセスする前または後に、水のような溶媒を加える。金属箔６２０，６２２に穴を開けた後、ダウンチューブを上方に持ち上げ、次いで、シリンダ部６０２とリザーバ６１０の側部との間に通す。あるいは、ダウンチューブを、リザーバ６１０を通して中央リザーバ６１４の側部に沿って中央リザーバ６１４に穴を開けないように螺子込むことができる。コネクター部６０８，６１２及び６１６は、ダウンチューブの挿入操作の間に、下方リザーバをダウンチューブによって穴を開けないように、その挿入路から移動させる蝶番として作用するのに十分な程、実質的に柔軟である。
【００７０】
別の具体例において、各リザーバの上部に穴を開けることができる膜を備え、各リザーバの底部はリザーバと一体成型された部分であり、容易に穴が開かないようにすることができる。
【００７１】
第８の具体例において、機械式カプラー７００が挿入物７０２に連結されている。挿入物７０２は図２に示した挿入物と同一であるが、リップ部２８を持たない。機械式カプラーはリップ部７０４及び、４つの埋め合わせ７０８（図２４及び２５には２つのみを示した）によって連結されたコネクター部７０６を含む。コネクター部７０６は、締り嵌め、接着剤、音波溶接、熱溶接、または他の好適な手段によって挿入部７０２の上部に連結される。
【００７２】
この構造は４つのポート７１０を提供し、４つのポート７１０は、この構造を有するスプレー瓶ディスペンサーを再装填するときに、機械式カプラー７００の中央を通じて水を注入し、４つのポート７１０を通って瓶部内に水を入れる。
【００７３】
この構造は、リップを挿入物に一体化する必要がないので、挿入物７０２を連続的に押し出すことを可能にする。挿入物７０２には、上部及び下部封止膜（図示しない）が備えられ、次いで、組立の間に機械式カプラー７００に取り付けられる。それゆえ、挿入物７０２は、高速で押し出された連続長の材料から切り出し、化学品濃縮物を充填し、両端を封止膜で密封し、次いで、機械式カプラー７００を組み付けることによって完成した組立体にすることができる。
【００７４】
〈デュアルリザーバディスペンサー〉
以下の具体例は、分与装置（ディスペンサー）に連結された化学品リザーバ及び溶媒（例えば、水のような希釈液）リザーバを有するスプレー瓶ディスペンサーを含む。溶媒リザーバは再補充可能であり、化学品リザーバは随意に再補充可能である。好ましい具体例において、化学品リザーバ及び溶媒リザーバはスプレー瓶ディスペンサーの瓶内に置かれる。
【００７５】
図２６に、分離した再補充可能な溶媒リザーバ８０２と分離した再補充可能な化学品濃縮物リザーバ８０４を有するスプレーディスペンサー８００の概略図を示す。この構造は、ポンプ型のスプレーヘッド及び／または加圧された分与構造（すなわち、エアロゾル）とともに用いることができる。
【００７６】
再補充可能な溶媒リザーバ８０２は、再密封可能な閉め具、例えば、螺子付キャップ８０６を備え、溶媒Ａを最初に加えまたは追加の溶媒Ａを再補充することを可能にする。再補充可能な化学品リザーバ８０４は、再密封可能な閉め具、例えば、螺子付キャップ８０８を備え、化学品濃縮物Ｂを最初に加えまたは追加の化学品濃縮物Ｂを再補充することを可能にする。螺子付キャップ８０６及び８０８は、他のタイプの慣用の再密封可能な閉め具に代えることができる。
【００７７】
溶媒リザーバ８０２から延在する管８１０と化学品リザーバ８０４から延在する管８１２は、混合室８１４に連結する。混合室８１４の内部で、化学品濃縮物Ｂは溶媒Ａにより希釈されて所定の化学品濃度の活性成分を有する作業化学品溶液を形成する。作業溶液は次いでスプレーディスペンサーから分与される。例えば、作業化学品溶液は、ポンプ室８１６に引上げられスプレーヘッド８１８から押し出される。
【００７８】
図２６に示した具体例において、管８１０及び８１２の入口は、それぞれ、溶媒リザーバ８０２及び化学品リザーバ８０４の底部に配置されて実質的に各リザーバを空にすることができる。しかしながら、図示した構造に代えて、以下に詳細に議論するダウンチューブ及び他の管通路構造に係わる他の好適な構造を用いることができる。
【００７９】
化学品濃縮物リザーバ９０４に直接連結した溶媒リザーバ９０２を有する別のスプレーディスペンサー９００の概念図を図２７に示す。詳細には、溶媒リザーバ９０２は、プラスチック連結ウェブ９０５によって化学品濃縮物リザーバ９０４に連結されている。例えば、溶媒リザーバ９０２及び化学品濃縮物リザーバ９０４は単一のプラスチック片から吹込成型することができる。あるいは、リザーバを別々に製造して、リザーバ中に与えられた取り付け手段及び／または分離した取り付け手段によって互いに連結することができる。
【００８０】
再補充可能な溶媒リザーバ９０２は、再密封可能な閉め具、例えば、螺子付キャップ９０６を備え、溶媒Ａを最初に加えまたは追加の溶媒Ａを再補充することを可能にする。再補充可能な化学品リザーバ９０４は、再密封可能な閉め具、例えば、螺子付キャップ９０８を備え、化学品濃縮物Ｂを最初に加えまたは追加の化学品濃縮物Ｂを再補充することを可能にする。螺子付キャップ９０６及び９０８は、他のタイプの慣用の再密封可能な閉め具に代えることができる。
【００８１】
溶媒リザーバ１００２及び化学品濃縮物リザーバ１００４を有する別のスプレーディスペンサー１０００の概念図を図２８に示す。再補充可能な溶媒リザーバ１００２は、再密封可能な閉め具、例えば、螺子付キャップ１００６を備え、溶媒Ａを最初に加えまたは追加の溶媒Ａを再補充することを可能にする。再補充可能な化学品リザーバ１００４は、再密封可能な閉め具、例えば、螺子付キャップ１００８を備え、化学品濃縮物Ｂを最初に加えまたは追加の化学品濃縮物Ｂを再補充することを可能にする。螺子付キャップ１００６及び１００８は、他のタイプの慣用の再密封可能な閉め具に代えることができる。
【００８２】
ダウンチューブ１０１０が溶媒リザーバ１００２中に備えられ、ダウンチューブ１０１２が化学品濃縮物リザーバ１００４中に備えられる。ダウンチューブ１０１０及び１０１２は混合室１０１４に連結されている。混合室１０１４内において、化学品濃縮物Ｂは溶媒Ａで希釈されて所定の化学品濃度の活性成分を有する作業化学品溶液を形成する。次いで、作業化学品溶液はスプレーディスペンサーから分与される。例えば、作業化学品溶液はスプレーポンプ１０１６に引き込まれ、次いでスプレーヘッド１０１８から分与される。
【００８３】
図２９Ａに示したように、溶媒リザーバ及び化学品リザーバの両方に再密封可能な閉め具が設けられていない方が望ましい用途がある。例えば、ディスペンサーが、一回の使用のために売買される場合であり、化学品の濃縮物の使用によりディスペンサーの単位重量当たりの輸送重量の低減をもたらす。あるいは、図２９Ｂに示したように、化学品リザーバだけに再密封可能な閉め具が備わっていない場合もある。例えば、化学品濃縮物の毒性及び腐食性のために、ディスペンサーの溶媒リザーバを少なくとも一回再補充可能にしつつ、化学品リザーバは完全に密封して子供の毒殺または化学品の漏れによる危害を防止することが望ましいであろう。
【００８４】
しかしながら、好ましくは、図２９Ｃに示したように、溶媒リザーバ及び化学品リザーバの両方に再密封可能な閉め具を備えて、溶媒と化学品濃縮物を最初に加えさせ、後に再補充させる。この構造は、ディスペンサーを、最終的に廃棄する前に、溶媒と化学品濃縮物の両方で多数回再補充することを可能にし、大量の洗浄化学品を消費する商業的な洗浄業者の分野でかなりの用途を有するであろう。
【００８５】
ダウンチューブを用いる具体例においては（例えば、図２８）、溶媒リザーバ及び化学品濃縮物リザーバは、図３０Ａに示したように別々の容器にすることができる。あるいは、図３０Ｂに示したように、溶媒リザーバ及び化学品濃縮物リザーバを連結した容器にすることができる。さらに、溶媒リザーバ及び化学品濃縮物リザーバの相対寸法を異なるようにすることができる。例えば、図３０Ｃに示したように、分離したより小さな化学品濃縮物リザーバを、より大きな溶媒リザーバと接続して用いることができ、または、図３０Ｄに示したように、より大きな溶媒リザーバと結合して用いることができる。より小さな化学品濃縮物リザーバの使用は、ディスペンサー重量を減じ、ディスペンサー中の毒性及び腐食性の化学品濃縮物の量を制限する場合に特に望ましくなる。より小さい化学濃縮物リザーバ及びそこに含まれる化学濃縮物のより低い濃度は予め選択されて、それゆえ、溶媒リザーバの一回の消費によって完全に消費するか、あるいは、溶媒リザーバの一回の消費によって部分的に消費して少なくとも一回溶媒リザーバを再補充させることを可能にする。
【００８６】
本発明に従う分与装置の好ましい具体例には、より大きな溶媒リザーバ内に配置されたより小さな化学品濃縮物リザーバを含む。この構造は、化学品濃縮物が化学品濃縮物リザーバ及び溶媒リザーバの両方の内側に含まれているので、特に安全である。それゆえ、この構造をいじる子供は最初に溶媒リザーバに接近することなく化学品濃縮物に直接接近することはできない。さらに、化学品濃縮物リザーバは完全に密封して且つ実質的に入り込めない構造に作製することがきる（例えば、気密プラスチック容器）。さらに、意図しない化学品濃縮物の化学品濃縮物リザーバからの漏れまたは溢れはこの溶媒リザーバの内側に含まれる。
【００８７】
図３１Ａ〜Ｄに示す具体例において、化学品濃縮物リザーバは種々の方法で提供することができる。例えば、化学品濃縮物リザーバは溶媒リザーバを区画する別の容器内に配置した分離した容器にすることができる。あるいは、化学品濃縮物は溶媒リザーバの少なくとも一つの壁と連続する少なくとも一つの壁を有する一体型リザーバとして製造することが可能である。さらに、化学品濃縮物リザーバは柔軟な材料から製造することかできる（例えば、薄い柔軟なフィルム材料）。
【００８８】
吸引ポンプ型の構造を用いる分与装置の具体例（即ち、従来のスプレーポンプ型スプレーヘッド）においては、化学品濃縮液はスプレーヘッドの吸引ポンプ構造によって発生した吸い込みによってダウンチューブに引き込まれる。もし、化学品濃縮物が硬直のまたは準硬直の壁を有する化学品濃縮物リザーバ内に含まれるならば、化学品濃縮物リザーバは液体のダウンチューブへの吸い上げを可能にするなんらかの方法で通気しなければならず、あるいは、化学品濃縮物リザーバを加圧して化学品濃縮液をダウンチューブに押し上げなければならない。もし、化学品濃縮物か少なくとも一つの弾力性若しくは柔軟な壁部または膜を有する化学品濃縮物リザーバ内に含まれるならば（即ち、何らかの方法でしぼませる）、リザーバを通気することなく濃縮液をダウンチューブに吸い込み、化学品濃縮物リザーバをしぼませて化学品濃縮溶液を取り出すことができる。
【００８９】
化学品濃縮物は、ダウンチューブのような管で化学品濃縮物の供給源にアクセスできるように液状であることが好ましい。あるいは、化学品濃縮物を、固体、粒状、集合体、エマルジョン、蒸気及び他の形態のような少なくとも一つの状態で貯蔵することができる。これらの具体例の各々において、分与装置は、化学品濃縮物を溶媒と接触させるように位置付けて作業化学品試薬溶液を生成するなんらかの手段を含まなければならない。化学品濃縮物を溶媒と接触させる手段は、特定の構造に応じて、連続、選択的または断続的な操作を有することができる。例えば、固体化学品濃縮物は、溶媒リザーバと化学品濃縮物リザーバを流体連結する少なくとも一つのアクセス孔または管を化学品濃縮物リザーバに提供することによって溶媒リザーバと連続接触させ得る。
【００９０】
本発明に従う分与装置の好ましい具体例を図３２に示す。この分与装置１１００は首部１１０４及び随意の首部１１０６を有するスプレー瓶１１０２を含む。再密封可能なキャップ１１０８が首部１００６に接続されて溶媒Ａをスプレー容器１１０２に初期に加えることまたは再補充することを可能にする。溶媒Ａと化学品濃縮物Ｂの作業混合物をスプレーするためのポンプ型スプレーヘッド１１１０が首部１１０４に接続される。
【００９１】
分与装置１１００はプラグ状（栓状あるいは差し込み型）本体１１１４を含むアダプタ１１１２を含み、プラグ状本体１１１４は首部１１０４内にアダプタ１１１２を吊すための半径方向外側に延びた上部フランジ１１１６を有する。プラグ状本体１１１４は、アタプタ１１１２の取り出しを促進するために首部１１０４の内寸よりも僅かに小さくなるように寸法が調整されて、特に随意の首部１１０６及び再密封可能なキャップ１１０８を持たないスプレー瓶１１０２の具体例においては、スプレー瓶１１０２の溶媒の再補充を可能にする。あるいは、プラグ状本体１１１４は、アダプタ１１１２の取り出しを防止するために首部１１０４の内寸よりも僅かに大きくなるように寸法を調整することができ、例えば、子供が化学品濃縮物に触れることを防止する。さらに、プラグ状本体１１１４は接着剤で接着し、または、さらに別の方法で、例えば、溶解又は溶接で結合してプラグ状本体１１１４及び／またはスプレー瓶１１０２を破壊することなくプラグ状本体１１１４を取り出すことが殆どできないようにすることができる。スプレー瓶１１０２に直接結合されたプラグ状本体１１１４を有する具体例においては、フランジ１１１６はプラグ状本体１１１４を吊るす機能をしないので随意に除去することができる。
【００９２】
プラグ状本体１１１４は、その下方に延在するプラグ状延在部１１１８を備える。プラグ状延在部１１１８は化学品濃縮物Ｂを含む容器１１０２に連結する。例えば、容器１１２０は、プラグ状本体の外寸と容器１１２０の上部の内寸との間の締り嵌めによって結合することができる。あるいは、容器１１２０は、いくつかの他の好適な手段で、例えば、螺子結合、接着剤、溶融、溶接、機械式締め具等によりプラグ状本体１１１４に連結してそれらの間の離脱可能なあるいは離脱できない結合をもたらす。
【００９３】
特に好適な容器１１２０は、図３２に示した半球型の端部付の円柱体を有する試験官型の容器である。試験官型の容器１１２０はガラスから作製して顕著な耐化学性をもたらすことができるが、意図しない割れを防止するためにプラスチックが一層好適であろう。あるいは、他の好適な形状及び寸法の容器を、試験官型の容器１１２０に代えることができる。容器１１２０が一層大きいと、一層多くの化学品濃縮物をスプレー容器１１０２内に貯蔵することができるが、同じ寸法のスプレー容器１１２０内で溶媒Ａのための付属の空間までを使用することになる。
【００９４】
ダウンチューブ１１２２が容器１１２０内に設けられて、化学品濃縮物Ｂをダウンチューブ１１２２を通じてプラグ状アダプタ１１１２に引上げることを可能にし、プラグ状アダプタ１１１２で溶媒Ａとの混合が行われる。さらに、ダウンチューブ１１２４がスプレー瓶１１０２内部に設けられて溶媒Ａをダウンチューブ１１２４を通じてプラグ状アダプタ１１１２に引上げ、そこで化学品濃縮物Ｂとの混合を行なわせる。
【００９５】
プラグ状アダプタ１１１２は、スプレーヘッド１１１０との結合のために管状延在部１１２６を備える。例えば、プラグ状アダプタ１１１２は、プラスチック射出成型片であり、その上方に一体成型された管状の延在部１１２６を備える。管状の延在部１１２６は、従来型のスプレーヘッドの従来型のダウンチューブ受入れ体内で受け取られることができるように従来型のダウンチューブの形状及び寸法にされている。あるいは、プラスチックチューブ状の他の好適な管構造をアダプタ１１１２とスプレーヘッド１１１０との間の液体連結をもたらすために採用することができる。
【００９６】
好ましいアダプタ１１１２の詳細な構造を以下に説明するとともに、図３４及び３４に示す。アダプタ１１１２は、図３４に示したように、互いに組み立てられる、上部本体部１１２８、下部本体部１１３０、ボールフロート１１３２及びボールフロート１１３４を含む４つの分離した部材から作製される。
【００９７】
上部本体１１２８及び下部本体部１１３０は好ましくはプラスチック射出形成によって製造され、図示のような構造を有する。上方本体１１２８は、上部フランジ部１１１６ａと下部ディスク部１１３６を連結する円柱本体部１１３２を含む。管状延在部１１２６は、下部ディスク部１１３６から上方に延在して、上部本体部１１２８を通る流体通路１１３８を画定する。
【００９８】
流体通路１１４２を有する管状延在部１１４０は下部ディスク部１１３６の下方で複数の空間的に隔離した支持体１１４６により支持されている。例えば、空間隔離支持体は１１４６は９０度おきに隔離され、それらの間に４つの流体通路または穴をもたらす（例えば、おり状構造）。管状延在部１１４０の下部には漏斗型の通路部１１４８を備える。
【００９９】
下部本体部１１３０は、上部フランジ部１１１６ｂと下部ディスク部１１５２を連結する円柱本体部１１５０を含む。円柱本体部１１５０は、また、上方本体部１１２８の底部が載置される上面部１１５４ａを有する下部フランジ部１１５４を備える。特に、下部フランジ部１１５４の上面部１１５４ａは、上部本体１１２８が下部本体部１１３０の内側に嵌め込まれる程度を制限するストッパとして働く。さらに、プラグ状延在部が下部本体部１１３０の底部に提供されて上記のように容器１１２０とを連結する。
【０１００】
上部本体部１１２８の下部ディスク部１１３６の下面１１３６ａと下部本体部１１３０の下部ディスク部１１５２の上面１１５２ａとの間に混合室ＭＣが画定される。下部本体部１１３０の下部フランジ部１１１４の高さは混合室ＭＣの高さを定義する。混合室ＭＣは上部本体部１１２８の通路１１３８及び１１４２と連続的に流体連結している。
【０１０１】
下部本体部１１３０は、下部通路部１１５６ａ、漏斗型通路部１１５６ｂ及び上部通路部１１５６ｃを含む流体通路１１５６を備える。下部通路部１１５６ａは、ダウンチューブ１１２４の上部との締り嵌め結合をもたらすような寸法にされている（図３５参照）。さらに、上部通路部１１５６ｃはボールフロート１１３２を収容する寸法であり、漏斗型の通路部１１５６ｂはボールフロート１１３２を支えるように配向し且つ一方通行弁を提供し、溶媒Ａがダウンチューブ１１２４を上がって混合室ＭＣに入ることのみを可能とし、混合室ＭＣ中の混合流体が一方通行弁を通じてダウンチューブ１１２４を通ってスプレー瓶１１０２に移動することを防止する。
【０１０２】
下部本体部１１３０はまた流体通路１１６０を有する管状延在部１１５８を備える。流体通路１１６０は、下部流体通路部１１６０ａ、漏斗型流体通路部１１６０ｂ及び上部流体通路部１１６０ｃを含む。下部通路部１１６０ａは、ダウンチューブ１１１２の上部との締り嵌め結合をもたらすような寸法にされている（図３５参照）。さらに、上部通路部１１６０ｃはボールフロート１１３４を収容する寸法であり、漏斗型の通路部１１６０ｂはボールフロート１１３４を支え且つ一方通行弁を提供するように配向し、化学品濃縮液Ｂがダウンチューブ１１１２を上がって混合室ＭＣに入ることのみを可能とし、混合室ＭＣ中の混合流体が一方通行弁を通じてダウンチューブ１１１２を通って容器１１２０に移動することを防止する。さらに、管状延在部１１４０の漏斗型通路部１１４８はボールフロート１１３４が上方に移動するときにボールフロート１１３４を支持しその上方への移動を停止するとともに下方−方通行弁に対して反対の流動動作を有する一方通行弁をもたらす。
【０１０３】
管状延在部１１５８の二つの一方通行弁は計量弁となる。特に、ボールフロート１１３４の移動高さＨは混合室ＭＣに分配される化学品濃縮液の量を計量するための固定容積を有する計量室Ｃを区画する。さらに、ボールフロート１１３４は液体通路１１６０の内径未満に寸法化されて、以下に述べる計量操作の一部の間に液体をボールフロート１１３４の周囲に移動させる。
【０１０４】
図３５に示したように、上部本体部１１２８は下部本体部１１３０とは分離している。上部本体部１１２８は下部本体部１１３０と組立られたアダプタ内で連結している。例えば、フランジ部１１１６ａ及び１１１６ｂは共に接着または溶接して組立体を完成することができる。いずれの場合にも、上部本体部１１２８は下部本体部１１３０との接合は封止して混合室ＭＣを密封しなければならない。
【０１０５】
プラグ状アダプタ１１１２はアダプタ１１１２の上方で且つスプレーヘッド１１１０の下方に位置する空気空間をスプレー瓶１１０２及び容器１１２０中の空気空間と連結するための空気通路を備えて、溶媒Ａと化学品濃縮液Ｂの容積がスプレー瓶１１０２及び容器１１２０からそれぞれ除去されたときに、空気容積がそこに加わって液体の容積損失を埋め合わせなければならない。しかしながら、容器１１２０が柔軟なまたは弾力性の壁からできた容器、例えば、しぼめる容器（例えば、気球状の容器）であるならば、空気通路は容器１１２０に不要である。
【０１０６】
空気通路１１６２はプラグ状アダプタ１１１２の側部に沿って設けることができる。例えば、下部本体１１３０の側部にそって設けられた溝に延びる穴をフランジ１１１６中に設けることができる。この構造はスプレー瓶１１０２への空気通路を提供する。溝は、プラグ状の延在部１１１８に沿って延びて、また化学品濃縮液Ｂを収容する容器１１２０への空気通路を提供する。
【０１０７】
別の具体例において、一方通行弁を除去しまたはその位置を再調整して溶剤Ａ及び化学品濃縮液Ｂの汚染を防止することも可能である。例えば、単−の一方通行弁を液体通路１１３８に設けることができるが、この配置は未だ混合室ＭＣ中に動作液を溶剤Ａ及び化学品濃縮液Ｂとともに置いている。さらに他の好適な計量構造を工夫し、記載し図示したものに置き換えることができる。
【０１０８】
操作時、ダウンチューブ１１１２及び１１２４並びに混合室ＭＣが装着された後、スプレーヘッド１１１０（図３２）の操作により、液体を、支持体１１４６によって区画される空間隔離孔を通じて、混合室ＭＣから上方に吸い上げ、次いで、液体通路１１３８を通ってスプレーヘッド１１１０に適当な濃度の活性成分を有する作業混合液を供給する。
【０１０９】
液体が混合室ＭＣから吸引されると、一方通行弁を画定するボールフロート１１３２は上方に移動して溶媒Ａをダウンチューブ１１２４、通路１１５６を通じて混合室ＭＣに引き上げる。同時に、計量弁のボールフロート１１３４は上方に移動してボールフロート１１３４の上方に位置する化学品濃縮液の容量を上方に移動させて混合室ＭＣに入れる。ボールフロート１１３４は上方に移動して、ボールフロート１１３４が漏斗型の流体通路１１４８によって停止されるまで、化学品濃縮液をダウンチューブ１１１２からボールフロート１１３４の下方に位置する計測室Ｃに引き上げる。スプレーヘッドが、各スプレーサイクルの終わりに混合室ＭＣ内での液体吸引を開放するとき（すなわち、ポンプの引き手が完全に引かれたとき）、ボールフロート１１３４は重力により下方に移動しつつ化学品濃縮液をボールフロート１１３４の外側に流して次のスプレーサイクルのために再び計測室を充満する。
【０１１０】
混合室に入る溶媒Ａ及び化学品濃縮液Ｂは、液体通路１１３８を通って上方のスプレーヘッドに移動する前に、完全に混合される。さらに、混合室ＭＣの内側に位置し且つ液体通路１１３８に入る隔離液体ポートを区画している空間隔離支持体１１４６の檻状の構造物に加えて、溶媒及び化学品濃縮液の入口位置が異なることにより混合室内で液体混合を助長するいくらかの攪拌が存在する。
【０１１１】
分与装置１１００が使用されていないときは、混合室内の作業化学品液はボールフロート１１３２及び１１３４によってそれぞれ画定される一方通行弁によりダウンチューブ１１２４及び１１１２を通って下方に移動することができない。これは、溶媒Ａを含むスプレー瓶の汚染を防止し、化学品濃縮液Ｂを含む容器１１２０が混合室ＭＣからの作業液で汚染されることを防止する。
【０１１２】
ボールフロート１１３４上の計測室Ｃ内に位置する化学品濃縮液は、時間の経過とともにある程度混合室中の作業液と混合する。しかしながら、一回または２回のスプレーサイクルの後の操作時に、上記のように計測弁は一定容積の濃縮液を混合室に配送するように働く。
【０１１３】
通常の一首型のスプレー瓶を二首型のスプレー瓶に代えるための別のタイプのアダプタ１２００を図３８に示す。特に、アダプタ１２００は液体通路１２０６に連結する液体通路１２０４を有するアタプタ本体を有する。アダプタ本体１２０２は、内側に螺子部が形成されたキャップ１２０８を備える。螺子付のキャップ１２０８はアダプタ本体１２０２と一体品として成形することができ、あるいはアダプタ本体に回転可能に結合する分離品とすることができる。アダプタ本体１２０２と螺子付のキャップ１２０８との間の結合は、従来のスプレーヘッドの内側螺子付キャップと従来のスプレーヘッドの本体と間の、相対回転及び互いの封止を可能にするタイプの結合と同一にするかまたは類似させることができる。このタイプの構造はアダプタが結合されるスプレー瓶に対するアダプタの相対的な向きを変えることを可能にする。
【０１１４】
内側螺子付キャップ１２０８は、従来の一首スプレー瓶の外側に螺子が付いた首部に連結される。アダプタ本体１２０２は従来のスプレーヘッドの内側螺子付キャップとの結合のための第１の外側螺子付首部１２１０を備える。アダプタ本体１２０２は、また、再使用可能な内側螺子付キャップ１２１４を備えることができる第２の外側螺子付首部１２１２を備える。あるいは、アタプタ本体１２０２は、別のタイプの第２の再封止可能な閉鎖物（例えば、螺子付栓及び内側螺子付首部、ねじれ開放弁、ストップコック型弁等）を備えることができる。
【図面の簡単な説明】
【０１１５】
【図１】図１は、本発明に従うスプレー瓶ディスペンサーの第一の好ましい具体例の側面図である。
【図２】図２は、図１に示されたスプレー瓶ディスペンサーから取り出された、二つの化学品リザーバ及びを小室を画定する３つの分離した室または小室を有する挿入物の透視図である。
【図３】図３は、図２に示した挿入物の平面図である。
【図４】図４は、図２に示した挿入物の底面図である。
【図５】図５は、図１に示したスプレー瓶ディスペンサーの瓶部の口によって支持される挿入物のリップを示す部分詳細図であり、リップは挿入物を瓶中に吊るしている。
【図６】図６Ａは、瓶部の口の中央に位置付けられたダウンチューブを受け入れるための空の中央室を有し且つ４つの化学品リザーバを有する好ましい別の挿入物を示す。  図６Ｂは、図２に示した挿入物の３室の代わりに、４室または小室（すなわち、３つの化学品リザーバ及び１つの空室）を有する好ましい別の挿入物を示す。
【図７】図７は、本発明に従うスプレー瓶ディスペンサーの第二の好ましい具体例の側面図である。
【図８】図８は、図７に示したスプレー瓶ディスペンサーの一つのリザーバを通る詳細な部分横断面図である。
【図９】図９は、図８に示したリザーバの外側表面の正面側の透視図であり、リザーバ内の薄弱な線を示す。
【図１０】図１０は、本発明に従うスプレー瓶ディスペンサーの第三の好ましい具体例の側面図である。
【図１１】図１１は、図１０に示したスプレー瓶ディスペンサーの１つのリザーバの横断面図である。
【図１２】図１２は、本発明に従うスプレー瓶ディスペンサーの第四の好ましい具体例の側面図である。
【図１３】図１３は、図１２に示したスプレー瓶ディスペンサーの一つのリザーバを通る断面図である。
【図１４】図１４は、図１３に示した一つのリザーバの側面図であって、瓶部の側部間を橋渡して、瓶部の側部に両端が連結するリザーバを示す。
【図１５】図１５は、本発明に従うスプレー瓶ディスペンサーの第五の好ましい具体例の側面図である。
【図１６】図１６は、図１５に示したスプレー瓶ディスペンサーのーつのドーナツ型のリザーバの透視図である。
【図１７】図１７Ａは、図１６に示したドーナツ型のリザーバの横断面図である。  図１７Ｂは、図１６に示した別のドーナツ型のリザーバの横断面図である。
【図１８】図１８は、本発明に従うスプレー瓶ディスペンサーの第六の好ましい具体例の側面図である。
【図１９】図１９は、図１８に示したような挿入物の上方リザーバの断面図である。
【図２０】図２０は、図１８に示したような挿入物の中央リザーバの断面図である。
【図２１】図２１は、図１８に示したような挿入物の下方リザーバの断面図である。
【図２２】図２２は、本発明に従うスプレー瓶ディスペンサーの第七の好ましい具体例の側面図である。
【図２３】図２３は、図２２に示した挿入物の縦断面図である。
【図２４】図２４は、本発明に従う機械式コネクターを有する挿入物の側面図である。
【図２５】図２５は、図２４に示したような機械式カプラーの断面図である。
【図２６】図２６は、分離した再充填可能な溶媒容器及び分離した再充填可能な化学品濃縮物容器を有する、本発明に従うスプレーディスペンサーの具体例の概念図である。
【図２７】図２７は、再充填可能な溶媒容器及び再充填可能な化学品濃縮物容器を結合して有する、本発明に従うスプレーディスペンサーの具体例の概念図である。
【図２８】図２８は、ポンプ型スプレーヘッドに連結したダウンチューブをそれぞれ有する再充填可能な溶媒容器及び再充填可能な化学品濃縮物容器を有する、本発明に従うスプレーディスペンサーの具体例の概念図である。
【図２９】図２９Ａは、再充填できない溶媒容器及び再充填できない化学品濃縮物容器を有する、本発明に従うスプレーディスペンサーの概念図である。  図２９Ｂは、再充填できない溶媒容器及び再充填可能な化学品濃縮物容器を有する、本発明に従うスプレーディスペンサーの概念図である。図２９Ｃは、再充填可能な溶媒容器及び再充填可能な化学品濃縮物容器を有する、本発明に従うスプレーディスペンサーの概念図である。
【図３０】図３０Ａは、分離した溶媒容器及び分離した化学品濃縮物容器を有する、本発明に従うスプレーディスペンサーの概念図である。図３０Ｂは、溶媒容器及び化学品濃縮物容器を結合して有する、本発明に従うスプレーディスペンサーの概念図である。図３０Ｃは、より大きな分離した溶媒容器及びより小さな分離した化学品濃縮物容器を有する、本発明に従うスプレーディスペンサーの概念図である。図３０Ｄは、より大きな溶媒容器及びより小さな化学品濃縮物容器を結合して有する、本発明に従うスプレーディスペンサーの概念図である。
【図３１】図３１Ａは、より小さな化学品濃縮物容器をより大きな溶媒容器の底部に配置して有する、本発明に従うスプレーディスペンサーの概念図である。図３１Ｂは、より小さな化学品濃縮物容器をより大きな溶媒容器の側部に配置して有する、本発明に従うスプレーディスペンサーの概念図である。図３１Ｃは、より小さな化学品濃縮物容器をより大きな溶媒容器の頂部に配置して有する、本発明に従うスプレーディスペンサーの概念図である。図３１Ｄは、より小さな化学品濃縮物容器をより大きな溶媒容器の中央に配置して有する、本発明に従うスプレーディスペンサーの概念図である。
【図３２】図３２は、本発明に従うスプレー装置の具体例の部分破断断面図である。
【図３３】図３３は、スプレーヘッドが除去された図３２に示すスプレー装置の具体例の部分破断断面図である。
【図３４】図３４は、図３２及び図の３３に示すスプレー装置に使用されたアダプタの完全組立体の詳細断面図である。
【図３５】図３５は、図３４に示したアダプタを分解した詳細断面図である。
【図３６】図３６は、図３５に示した分解したアダプタの下部本体部の上面図である。
【図３７】図３７は、図３６に示した下部本体部の側方断面図である。
【図３８】図３８は、従来の一首スプレー瓶を二首スプレーに置き換えるための別のタイプのアダプタの側面図である。
【図１】
2005289518.tif 000003
【図２】
2005289518.tif 000004
【図３】
2005289518.tif 000005
【図４】
2005289518.tif 000006
【図５】
2005289518.tif 000007
【図６】
2005289518.tif 000008
【図７】
2005289518.tif 000009
【図８】
2005289518.tif 000010
【図９】
2005289518.tif 000011
【図１０】
2005289518.tif 000012
【図１１】
2005289518.tif 000013
【図１２】
2005289518.tif 000014
【図１３】
2005289518.tif 000015
【図１４】
2005289518.tif 000016
【図１５】
2005289518.tif 000017
【図１６】
2005289518.tif 000018
【図１７】
2005289518.tif 000019
【図１８】
2005289518.tif 000020
【図１９】
2005289518.tif 000021
【図２０】
2005289518.tif 000022
【図２１】
2005289518.tif 000023
【図２２】
2005289518.tif 000024
【図２３】
2005289518.tif 000025
【図２４】
2005289518.tif 000026
【図２５】
2005289518.tif 000027
【図２６】
2005289518.tif 000028
【図２７】
2005289518.tif 000029
【図２８】
2005289518.tif 000030
【図２９】
2005289518.tif 000031
【図３０】
2005289518.tif 000032
【図３１】
2005289518.tif 000033
【図３２】
2005289518.tif 000034
【図３３】
2005289518.tif 000035
【図３４】
2005289518.tif 000036
【図３５】
2005289518.tif 000037
【図３６】
2005289518.tif 000038
【図３７】
2005289518.tif 000039
【図３８】
2005289518.tif 000040
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
再装填可能なスプレー瓶ディスペンサーであって、
第１首部を有するスプレー瓶と、
前記スプレー瓶の前記第１首部に連結されるスプレーヘッドと、
前記スプレーヘッドに連結され、前記スプレー瓶内に延在するダウンチューブと、
化学品濃縮物を貯蔵するために化学品濃縮物を格納する複数のリザーバであって、スプレー瓶ディスペンサーに関連付けられている前記複数のリザーバであって、スプレー瓶ディスペンサーの複数回の再装填のために前記複数のリザーバに選択的にアクセスするために構成されている前記複数のリザーバとを備える再装填可能なスプレー瓶ディスペンサー。
【請求項２】
前記複数のリザーバが前記スプレー瓶内に配置されている請求項１に記載のスプレー瓶ディスペンサー。
【請求項３】
前記複数のリザーバが互いに連結されている請求項１に記載のスプレー瓶ディスペンサー。
【請求項４】
前記複数のリザーバが複数の室を有する挿入物によって画成されている請求項１に記載のスプレー瓶ディスペンサー。
【請求項５】
前記挿入物が前記ダウンチューブを収容するための貫通した通路を有する請求項４に記載のスプレー瓶ディスペンサー。
【請求項６】
前記挿入物が円柱部分を含む請求項５に記載のスプレー瓶ディスペンサー。
【請求項７】
前記挿入物が、前記円柱部分を前記スプレー瓶の内部に吊すために前記第１首部の上縁と共働する上リムを備える請求項６に記載のスプレー瓶ディスペンサー。
【請求項８】
前記挿入物の前記円柱部分の上部が、ユーザーに前記化学品濃縮物を前記スプレー瓶に放出するために前記挿入物を破裂させる方法で密封されている請求項７に記載のスプレー瓶ディスペンサー。
【請求項９】
前記挿入物の前記円柱部分の上部が破裂可能な膜で密封されている請求項８に記載のスプレー瓶ディスペンサー。
【請求項１０】
前記破裂可能な膜がプラスチックフィルム又は金属ホイルである請求項９に記載のスプレー瓶ディスペンサー。
【請求項１１】
前記挿入物の前記円柱部分の底部が、前記化学品濃縮物を前記スプレー瓶に放出するために、ユーザーに前記挿入物をさらに破裂させる方法で密封されている請求項８に記載のスプレー瓶ディスペンサー。
【請求項１２】
前記挿入物の前記円柱部分の前記下部が破裂可能な膜で密封されている請求項１１に記載のスプレー瓶ディスペンサー。
【請求項１３】
前記破裂可能な膜がプラスチックフィルム又は金属ホイルである請求項１２に記載のスプレー瓶ディスペンサー。
【請求項１４】
前記挿入物の前記円柱部分の上部及び下部が、前記化学品濃縮物を前記スプレー瓶内に放出するために、ユーザーに前記挿入物を破裂させる方法で密封され、且つ前記挿入物の前記円柱部分の前記上部及び前記下部が破裂可能な膜で密封されている請求項７に記載のスプレー瓶ディスペンサー。
【請求項１５】
スプレー瓶ディスペンサー内に前記化学品濃縮物を放出するために前記複数のリザーバに選択的に穴を開けることにより、前記複数のリザーバが選択的にアクセスされる方法によって、前記複数のリザーバが形成されている請求項１に記載のスプレー瓶ディスペンサー。
【請求項１６】
一回の再装填の間に再装填混合物の化学品濃度を増大させるために複数のリザーバが選択的にアクセスされるように、上記複数のリザーバが形成されている請求項１に記載のスプレー瓶ディスペンサー。
【請求項１７】
スプレー瓶ディスペンサーであって、
第１首部を有するスプレー瓶と、
前記スプレー瓶の前記第１首部に連結されるスプレーヘッドと、
前記スプレーヘッドに連結され、前記スプレー瓶内に延在するダウンチューブと、
前記スプレー瓶の前記第１首部に配置される挿入物であって、少なくとも一つの密封されたリザーバを備え、スプレー瓶内に少なくとも一回分の化学濃縮物を貯蔵するために形成され、前記スプレー瓶内に化学品濃縮物を放出するために選択的に傷つけられる前記挿入物であって、さらに前記ダウンチューブを収納するための貫通した通路を提供するために個別の開放室を有する前記挿入物とを含むスプレー瓶ディスペンサー。
【請求項１８】
前記挿入物が円柱部分を有する請求項１７に記載のスプレー瓶ディスペンサー。
【請求項１９】
前記円柱の挿入物が前記スプレー瓶内で吊り下げられるために、前記挿入物が前記第１首部の上端と共働する上リムを備える請求項１８に記載のスプレー瓶ディスペンサー。
【請求項２０】
前記スプレー瓶内に前記化学品濃縮物を放出するために、ユーザーに前記挿入物を破裂させる方法により、前記挿入物の前記円柱部分の上部及び下部が密封されている請求項１９に記載のスプレー瓶ディスペンサー。
【請求項２１】
前記ダウンチューブを収納するための通路を画成している開放室が円柱形である請求項１７に記載のスプレー瓶ディスペンサー。
【請求項２２】
前記挿入物が化学品濃縮物を格納する複数のリザーバを備える請求項１７に記載のスプレー瓶ディスペンサー。
【請求項２３】
第１首部を有するスプレー瓶と、
前記スプレー瓶の第１首部に連結されるスプレーヘッドと、
前記スプレーヘッドに連結され、前記スプレー瓶内に延在するダウンチューブを備えるスプレー瓶ディスペンサーに使用する挿入物であって、
上記スプレー瓶ディスペンサー内に配置され、化学品濃縮物を貯蔵するために構成された密封されたリザーバを少なくとも一つ備え、スプレー瓶ディスペンサー内に化学品濃縮物を放出するために選択的に傷つけられるプラスチックの装置と、
前記ダウンチューブを収納するための貫通した通路を提供するための個別の開放室とを有する前記挿入物。
【請求項２４】
前記少なくとも一つの密封されたリザーバ内に格納した化学品濃縮物を含む請求項２３に記載の挿入物。
【請求項２５】
前記挿入物が、前記少なくとも一つの密封されたリザーバと、前記ダウンチューブを収納するための貫通した通路を提供するための前記開放室とを画成するための、１つ若しくは複数の仕切壁を有するチューブによって画成されている請求項２３に記載の挿入物。
【請求項２６】
前記チューブの上端が、プラスチックフィルム又は金属ホイルによって画成される封止膜を備える請求項２５に記載の挿入物。
【請求項２７】
前記封止膜が結合、接着結合、熱結合若しくは音波溶接を有する一群から選択される少なくとも一つの方法によって挿入物に取り付けられる請求項２６に記載の挿入物。
【請求項２８】
プラスチックの射出成形及び押し出し法の群から選択される少なくとも一つの技法によって、前記挿入物が製造されている請求項２３に記載の挿入物。
【手続補正２】
【補正対象書類名】明細書
【補正対象項目名】全文
【補正方法】変更
【補正の内容】
【発明の詳細な説明】
【技術分野】
【０００１】
再装填可能なディスペンサー関連出願  この出願は１９９４年７月２５日に出願された「再装填可能なディスペンサー」と題する米国特許出願第０８/２７９,９７８号の一部継続出願であり、その内容を援用して本文の記載の一部とする。
【０００２】
本発明は再装填可能なディスペンサーに関し、特に、再装填または再補充することができる再装填可能なスプレー瓶ディスペンサーに関する。さらに詳細には、本発明は、特に、化学品を含むリザーバと水または溶剤を再補充可能なリザーバとをスプレー瓶ディスペンサーに関連付けて有し、それゆえ、当該再補充可能なリザーバに水または溶媒を加えるだけで再装填することができるスプレー瓶ディスペンサーに関する。さらに、本発明は、本発明に従う再装填可能なディスペンサーとともに使用するための瓶（ボトル）及びアダプタに関する。
【背景技術】
【０００３】
化学試薬（例えば、水、洗浄液、石鹸、殺虫剤、ヘアースプレー等）を分与するためにスプレー瓶を使用することが良く知られている。大気中に放出される揮発性有機炭素（ＶＯＣ）の量を制限する規則により、もともとエアゾールに含まれて分与される製品は、現在、スプレー瓶と取り替えられつつある。
【０００４】
化学試薬の瓶詰め業者（ボトラー）は、一般に、空のプラスチック容器瓶とスプレーヘッドを別々に購入して、彼らの製品を市場で販売する。瓶詰め業者は中身を充填し、組立し、そして完成したスプレー瓶パッケージにラベルを貼る付けて小売店に配送する。消費者は、充填されたスプレー瓶を店頭販売で購入し、そしてスプレー瓶内の化学品を消費する。殆どの消費者は、スプレー瓶の内容物を一回使用した後にスプレー瓶を廃棄する。しかしながら、そのプラスチック瓶はかなり耐化学性であり、スプレーヘッドは中身を消費した後も十分な機能を維持している。それゆえ、スプレー瓶は、化学試薬を収容し、分与することに関してまだ十分に機能する。従来の店頭販売型のスプレー瓶は、化学濃縮物と水とで何度も再装填することができる（すなわち、十分な操作を維持しつつ、少なくとも１０回、可能ならば１００回再装填することができる）。それゆえ、消費者は高い利用価値を有する再使用可能な製品（すなわち、空のスプレー瓶）を大量に処分している。
【発明の開示】
【発明が解決しようとする課題】
【０００５】
公害を抑制する多くの規制がある今日の状況下、資源を保存し、ごみ処理地の廃棄物を減らす消費者及び産業の自覚において、用途を維持する製品を再利用を促進し、もはや何らの用途もない製品のみを処分することが強く望まれている。
【０００６】
多くの瓶詰め業者は、現在、種々のサイズの容器に入った濃縮物を販売し、消費者は店頭販売型のスプレー瓶にそれらの特定の濃縮物を再装填することができる。しかしながら、多くの消費者は、スプレー瓶の再装填に係わる処置がいくらか不便であるので、かかる方法を好んで採用しないことが明らかである。特に、スプレーヘッドを取り除き、化学品濃縮物の容器を開け、化学品濃縮物を空のスプレー瓶に注ぎ、水を加え、そしてスプレーヘッドを再び瓶に装着する際に、いくつかの不都合がある。さらに、消費者は明らかにスプレー瓶の再装填に興味なない。これはスプレー瓶の再装填に不慣れであり、あまり気が進まないからである。また、消費者は、化学品加工者が瓶詰め業者のために行なう液体の混合及び希釈に関する知識に欠けることも明らかである。さらに、再装填は、通常、面倒な作業であり、かなりの不便をもたらす。なぜなら、化学品濃縮物を一つの容器から他の容器に注ぐ際に、化学品濃縮物がこぼれ、あふれることがあり、また、充満されるまでは瓶が不安定であるために充満した瓶を偶然にもひっくり返すことや他の望まない事態が起こり得るからである。
【０００７】
重要なことは、消費者は化学品濃縮物の威力のある化学的特性を知らないために、消費者が化学品濃縮物の多種の容器（例えば、パイント、クォート、ガロン、リットルサイズ）を輸送し、取扱うことは極めて危険になるということである。特に、濃縮物の化学品の漏れは床、カーペット、台所や風呂場のカウンタートップ、棚を含む家庭の回りの品物並びに化学品濃縮物が接触することになり得る品物に損害を及ぼすことになる。さらに、化学品濃縮物はそれらに偶然に接触する人間にかなり大きな健康の危害を与え、組織のやけどや他の危害をもたらす。
【０００８】
最も重要なことは、化学品濃縮物は、偶然にも化学品濃縮物を摂取し、毒殺されることにもなり得る子供への大きな危険を与える。この点で、化学品濃縮物は店頭販売型のスプレー瓶に含まれる希釈された化学試薬に比べて、永続性の傷又は死をもたらす可能性がかなりある。
【０００９】
本発明の第１の目的は、再装填可能なディスペンサー、特に、スプレー瓶ディスペンサーであって、当該スプレー瓶ディスペンサーに関連付けられた化学品濃縮物リザーバと水または溶剤リザーバとを有するディスペンサーを提供することにある。
【００１０】
本発明の第２の目的は、再装填可能なディスペンサー、特に、スプレー瓶ディスペンサーであって、当該スプレー瓶ディスペンサー内に配置された化学品濃縮物リザーバと水または溶剤リザーバとを有するディスペンサーを提供することにある。
【００１１】
本発明の第３の目的は、化学品濃縮物リザーバと水または溶媒リザーバを有する瓶を含む再装填可能なディスペンサー、特に、スプレー瓶ディスペンサーを提供することにある。
【００１２】
本発明の第４の目的は、化学品濃縮物リザーバと再補充可能な水または溶剤リザーバとを有する再装填可能なディスペンサー、特に、スプレー瓶ディスペンサーを提供することにある。
【００１３】
本発明の第５の目的は、再補充可能な化学品濃縮物リザーバと再補充可能な水または溶剤リザーバとを有する再装填可能なディスペンサー、特に、スプレー瓶ディスペンサーを提供することにある。
【００１４】
これら及び他の目的は、本発明に従う再装填可能なディスペンサー、特に、本発明に従うスプレー瓶ディスペンサーによって達成することができる。
【課題を解決するための手段】
【００１５】
本発明の第１の態様によれば、再装填可能なスプレー瓶ディスペンサーであって、
第１首部を有するスプレー瓶と、前記スプレー瓶の前記第１首部に連結されるスプレーヘッドと、前記スプレーヘッドに連結され、前記スプレー瓶内に延在するダウンチューブと、化学品濃縮物を貯蔵するために化学品濃縮物を格納する複数のリザーバであって、スプレー瓶ディスペンサーに関連付けられている前記複数のリザーバであって、スプレー瓶ディスペンサーの複数回の再装填のために前記複数のリザーバに選択的にアクセスするために構成されている前記複数のリザーバとを備える再装填可能なスプレー瓶ディスペンサーが提供される。
【００１６】
本発明のスプレー瓶ディスペンサーは、前記複数のリザーバが前記スプレー瓶内に配置されていてもよく、前記複数のリザーバが互いに連結されていてもよい。
【００１７】
本発明のスプレー瓶ディスペンサーは、前記複数のリザーバが複数の室を有する挿入物によって画成されていてもよく、前記挿入物が前記ダウンチューブを収容するための貫通した通路を有してもよい。
【００１８】
本発明のスプレー瓶ディスペンサーは、前記挿入物が円柱部分を含んでいてもよく、また、前記挿入物が前記円柱部分を前記スプレー瓶の内部に吊すために上記第１首部の上縁と共働する上リムを備えていてもよい。
【００１９】
本発明のスプレー瓶ディスペンサーは、前記挿入物の前記円柱部分の上部が、ユーザーに前記化学品濃縮物を前記スプレー瓶に放出するために前記挿入物を破裂させる方法で密封されていてもよく、前記挿入物の前記円柱部分の上部が破裂可能な膜で密封されていてもよい。また、前記破裂可能な膜がプラスチックフィルム又は金属ホイルであってもよい。
【００２０】
本発明のスプレー瓶ディスペンサーは、前記挿入物の前記円柱部分の底部が、前記化学品濃縮物を前記スプレー瓶に放出するために、ユーザーに前記挿入物をさらに破裂させる方法で密封されていてもよく、前記挿入物の前記円柱部分の前記下部が破裂可能な膜で密封されていてもよい。また、前記破裂可能な膜がプラスチックフィルム又は金属ホイルであってもよい。
【００２１】
本発明のスプレー瓶ディスペンサーは、前記挿入物の前記円柱部分の上部及び下部が、前記化学品濃縮物を前記スプレー瓶内に放出するために、ユーザーに前記挿入物を破裂させる方法で密封され、且つ前記挿入物の前記円柱部分の前記上部及び前記下部が破裂可能な膜で密封されていてもよい。
【００２２】
本発明のスプレー瓶ディスペンサーは、スプレー瓶ディスペンサー内に前記化学品濃縮物を放出するために前記複数のリザーバに選択的に穴を開けることにより、前記複数のリザーバが選択的にアクセスされる方法によって、前記複数のリザーバが形成されていてもよい。
【００２３】
本発明のスプレー瓶ディスペンサーは、一回の再装填の間に再装填混合物の化学品濃度を増大させるために複数のリザーバが選択的にアクセスされるように、上記複数のリザーバが形成されていてもよい。
【００２４】
本発明の第２の態様によれば、スプレー瓶ディスペンサーであって、第１首部を有するスプレー瓶と、前記スプレー瓶の前記第１首部に連結されるスプレーヘッドと、前記スプレーヘッドに連結され、前記スプレー瓶内に延在するダウンチューブと、前記スプレー瓶の前記第１首部に配置される挿入物であって、少なくとも一つの密封されたリザーバを備え、スプレー瓶内に少なくとも一回分の化学濃縮物を貯蔵するために形成され、前記スプレー瓶内に化学品濃縮物を放出するために選択的に傷つけられる前記挿入物であって、さらに前記ダウンチューブを収納するための貫通した通路を提供するために個別の開放室を有する前記挿入物とを含むスプレー瓶ディスペンサーが提供される。
【００２５】
本発明のスプレー瓶ディスペンサーは、前記挿入物が円柱部分を有していてもよく、前記円柱の挿入物が前記スプレー瓶内で吊り下げられるために、前記挿入物が前記第１首部の上端と共働する上リムを備えていてもよい。
【００２６】
本発明のスプレー瓶ディスペンサーは、前記スプレー瓶内に前記化学品濃縮物を放出するために、ユーザーに前記挿入物を破裂させる方法により、前記挿入物の前記円柱部分の上部及び下部が密封されていてもよい。
【００２７】
本発明のスプレー瓶ディスペンサーは、前記ダウンチューブを収納するための通路を画成している開放室が円柱形であってもよく、前記挿入物が化学品濃縮物を格納する複数のリザーバを備えていてもよい。
【００２８】
本発明の第３の態様によれば、第１首部を有するスプレー瓶と、前記スプレー瓶の第１首部に連結されるスプレーヘッドと、前記スプレーヘッドに連結され、前記スプレー瓶内に延在するダウンチューブを備えるスプレー瓶ディスペンサーに使用する挿入物であって、上記スプレー瓶ディスペンサー内に配置され、化学品濃縮物を貯蔵するために構成された密封されたリザーバを少なくとも一つ備え、スプレー瓶ディスペンサー内に化学品濃縮物を放出するために選択的に傷つけられるプラスチックの装置と、前記ダウンチューブを収納するための貫通した通路を提供するための個別の開放室とを有する前記挿入物が提供される。
【００２９】
本発明の挿入物は、前記少なくとも一つの密封されたリザーバ内に格納した化学品濃縮物を含んでいてもよく、前記挿入物が、前記少なくとも一つの密封されたリザーバと、前記ダウンチューブを収納するための貫通した通路を提供するための前記開放室とを画成するための、１つ若しくは複数の仕切壁を有するチューブによって画成されていてもよい。
【００３０】
本発明の挿入物は、前記チューブの上端が、プラスチックフィルム又は金属ホイルによって画成される封止膜を備えていてもよく、前記封止膜が結合、接着結合、熱結合若しくは音波溶接を有する一群から選択される少なくとも一つの方法によって挿入物に取り付けられていてもよい。
【００３１】
本発明の挿入物は、プラスチックの射出成形及び押し出し法の群から選択される少なくとも一つの技法によって、前記挿入物が製造されていてもよい。
【００３２】
本発明に従う主要な概念は、再装填可能なディスペンサー、特に、少なくとも一つの化学品の供給源を有してスプレー瓶ディスペンサーを少なくとも一回再充填させるスプレー瓶ディスペンサーパッケージを提供することにある。化学品は、気体、液体、半固体または固体状になり得る。特に化学品液は、一相混合物、二相混合物、分散体または液体特性を有する他の任意の化学試薬になり得る。化学品半固体は、まだ液体型の特性を示す、スラリー、ペースト、固体分散液の形態になり得、固体は、粉末、粒体、タブレット、他の固形材料状の形態になり得る。
【００３３】
化学品は、好ましくは、溶媒、特に、淡水で容易に希釈される濃縮された化学品である。化学品は直ちに希釈できることが好ましいが、２４時間またはそれより長い期間にて溶液になることができる化学物質は潜在的にいくつかの用途に好適になる。
【００３４】
本発明の好ましい具体例は、少なくとも一つの化学品をスプレー瓶ディスペンサー自体に関連付けることに係わる。特に、化学品は幾つかの方法で貯蔵され、内部的にまたは外部的にスプレー瓶ディスペンサーに直接連結される。しかしながら、本発明は、その範囲が一層広く、化学品とスプレー瓶ディスペンサーを共にパッケージングして（すなわち、間接的に連結して）店頭販売することを含む。本発明のこの具体例において、化学品供給源とスプレー瓶ディスペンサーを含むパッケージを購入し、家庭で、瓶詰め業者によって充填されたスプレー瓶ディスペンサーをパッケージから分離し、スプレー瓶ディスペンサーとは別のパッケージの化学品部分を家庭で保管するであろう。次いで、ユーザーはスプレー瓶ディスペンサーの初期の内容物を消費した際に、スプレー瓶ディスペンサーを再充填するために、保管した化学品を埋め合わせる。
【００３５】
本発明の好ましい具体例は、少なくとも一回分の化学品を直接または間接的にスプレー瓶ディスペンサーの内側または外側に貯蔵する。スプレー瓶ディスペンサーと間接的に連結する場合には、プラスチック片のような機械式締め具が外部の化学品リザーバをスプレー瓶ディスペンサーに連結する。スプレー瓶ディスペンサーと直接的に連結する場合には、化学品リザーバがスプレー瓶ディスペンサーと内部的または外部的に直接連結する。最も好ましい具体例は、少なくとも一回分の化学品をスプレー瓶ディスペンサーの内部、特に底部に貯蔵し、スプレー瓶ディスペンサーの使用可能期間を通じて化学品の意図しない溢れや漏れを完全に包含する。これらの最も好ましい具体例は、取扱、再充填及び化学品との接触から家財を保護する実質的な利点をもたらし、最も重要なことは子供が化学品を偶然に摂取することを防止することである。この特別な点は、店頭で瓶詰め業者により現在販売されている希釈された化学試薬に比べて化学品濃縮物が一層大きな威力を有するために本質的に重要である。
【００３６】
最も好ましい具体例は、また、プラスチック瓶、プラスチックスプレーヘッド及びプラスチックダウンチューブを含む、慣用のスプレー瓶ディスペンサーを利用する。本発明を具体化する製品を促進するためには、製品は大量の販売及び消費が行われることから、容易に入手可能であり比較的に非常に安価である標準部品を利用することが極めて重要である。それゆえ、化学品を貯蔵するための付け足し型の化学品リザーバが極めて望ましい。
【００３７】
最も好ましい付け足し型の化学品リザーバはスプレー瓶ディスペンサーの底部内に受容された挿入物である。このタイプの挿入物は、高容量で極端に安く製造することができ、一方で安全且つ信頼性のある製品に必要な全ての性能特性を備える。特に、挿入物は、種々の方法でアクセス可能な化学品を含む少なくとも一つの室または小室とともに製造することができる。例えば、リザーバは、器具、特にダウンチューブの先端で破裂させることができる膜で封止することができる。あるいは、化学品リザーバの壁は、化学品リザーバに外圧を加えた際に容易に破裂するように設計または形状化することができる。化学品リザーバに弱部の線を加えること、壁を薄くすること及び化学品リザーバの一部を部分的に弱くする他の手段を本発明の使用のために実行することができる。
【００３８】
あるいは、通常のスプレー瓶ディスペンサーの少なくとも一つの部品（例えば、瓶部、スプレーヘッド部、ダウンチューブ）を改良して化学品リザーバをもたらすことができる。例えば、瓶部の底の少なくとも一つの側部に化学品リザーバを成型することにより瓶部の壁または底を改良することができ、スプレーヘッド部に化学品リザーバを備えることができ、ダウンチューブを付け足し型化学品リザーバを備えることができ、またはダウンチューブの壁を成型して化学品リザーバを提供することができる。しかしながら、これらの手法の全ては、本発明に従う挿入物の使用によって必要でない通常の部品を改良することにより最初のうちは実質的にコスト高になる。
【００３９】
本発明に従う挿入物は多くの異なる形態及び形状を採用することができる。挿入物の第１の好ましい具体例は少なくとも一つの室または小室を内部に有する円柱によって明確になる。この円柱の内部に少なくとも一つの二分する壁を設けて円柱の長さ方向に沿った室を区画することができる。少なくとも一つの二分する壁を有するプラスチック円柱はプラスチックを押し出すことによって容易に得ることができる。挿入物の少なくとも一つの室の頂部及び底部は上方及び下方封止膜により封止される。膜は、フィルム、フォイル、フィルムとフォイルの複合物または、耐化学性であり且つ器具、特にダウンチューブの先端で容易に穴を開け、または破裂させることができる他の好適な複合材にすることができる。
【００４０】
上方及び下方封止膜は、結合、接着結合、熱結合、音波溶接または液体をしっかりと封止する好適な方法（例えば、気密シール）によって挿入物に接続することができる。
【００４１】
この具体例の挿入物は、店頭販売において、充填したスプレー瓶ディスペンサーの内部に含まれた形で市場に出される。ダウンチューブはこの挿入物の開放室を通って瓶部の下方部に延在し、製造の間に瓶詰め業者により加えられた予め混合された化学試薬にアクセスする。化学試薬が消費された後に、ユーザーはスプレーヘッドの螺子を外し、ダウンチューブを瓶部から持ち上げる。挿入物が回転され、開放室が以前に位置していたところに化学品リザーバが位置づけられる（すなわち、ダウンチューブによりパンクさせられる位置にここで位置決めされる）。次いでユーザーはダウンチューブの先端を上方の封止膜に押し当て、その室を通して下方の封止膜をパンクさせる。ダウンチューブでパンクさせて化学品リザーバにアクセスする工程の前または後に、挿入物の開放室を通じて水を加えることができる。この構造は化学品を常にスプレー瓶ディスペンサーの内部に貯蔵させることを可能にし、スプレー瓶ディスペンサーの再充填に必要な工程を最小にする。
【００４２】
消費者は、スプレーヘッド及びダウンチューブを瓶部から取り出し、挿入物を回転し、化学品リザーバをパンクさせ、挿入物の開放室を通じて水を加え、そしてスプレーヘッド部を瓶部に再組立する際にあまり不便を感じないであろう。さらに、挿入物内に貯蔵された化学品濃縮物は取扱に極めて安全であり、子供が偶然に摂取することを防止する（すなわち、子供は首尾よくスプレーヘッドを螺子を回して瓶部から外し、ダウンチューブを完全に瓶部から取り出し、そして首尾よく挿入物をパンクさせなければならないであろう）。さらに、子供が挿入物をパンクさせた場合でも、上方封止膜を通る接近開放部は十分に小さいので化学品をこぼすことは実質的に制限され、子供が容易に摂取することを防止する。それゆえ、本発明は大量の化学品濃縮物を店頭販売する現在の方法よりもずっと安全であり、消費者に後に家庭で化学品濃縮物を取扱わせ、混合させる。
【００４３】
この特定の挿入物は１、２、３、４又は５つ以上の分離した室または小室をもつことができる。例えば、４つの小室の場合、一つの小室は、スプレー瓶ディスペンサーに希釈した化学品の初期の充填が行われるときの組立の間に瓶詰め業者によってダウンチューブが置かれる開放小室になる。それゆえ、この例では、３つの小室を分離した３つの化学品リザーバとして使用することができる。この４つの小室の構造はユーザーにスプレー瓶ディスペンサーの予混合した希釈化学試薬を最初に消費させて、次いで、スプレー瓶ディスペンサー中に含まれる全ての化学品を消費する前にあと３回スプレー瓶ディスペンサーを再充填させる。この時点で消費者がスプレー瓶ディスペンサーを廃棄するならば、廃棄する前に一回スプレー瓶ディスペンサーを使用する消費者の現在の慣行に対して３回の改良をもたらすであろう。それゆえ、もしそれが完全に実施されれば、スプレー瓶ディスペンサーの消費は３倍低下する（すなわち、４分の一の浪費ですむ）。
【００４４】
しかしながら、本発明は消費者による現在の慣行に対してさらに大きな改良をもたらすことができる。特に、挿入物は、挿入物を持たない慣用の店頭販売型のスプレー瓶ディスペンサーにその内容物の初期の消費後にくわえることができる分離品として、あるいは、本発明に従う挿入物を有するスプレー瓶ディスペンサーのユニットとして初期に販売された挿入物の化学品が完全に消費した後に、そのスプレー瓶ディスペンサーとともに使用するために、店頭販売されることもできる。
【００４５】
この新しいシステムは、輸送重量と輸送に関わるコストを極めて低減し、製品を売買するための小売店の棚スペースを低減し、そして最も重要なことにはプラスチック材料の消費及び浪費を低減することになるであろう。特に、上記４室の挿入物を製造するのに必要なプラスチックの量は、使用可能な希釈化学試薬の等しい量を基準とした４つの従来のスプレー瓶ディスペンサーのプラスチックの重量に比べて小部分にすぎない。さらに、化学品が完全に消費されたとき、挿入物は、何回も再使用可能な空の従来のスプレー瓶ディスペンサーの利用価値に比べて殆ど利用価値を持たない。さらに、従来のスプレー瓶ディスペンサーは、本発明に従う挿入物に比べて製造コストが極めて高く、従来のスプレー瓶ディスペンサー部品の製造に関わる労力並びに他の直接及び間接のコストは本発明に従う挿入物に比べて相当かかる。さらに、本発明に従う挿入物は容易に再使用することができ、もし、適当なシステムが開発されてかかる挿入物を再加工されるならば、再充填可能である。しかしながら、おそらく、挿入物はその便利性ゆえに消費者によって処分されるであろう。
【００４６】
本発明に従う挿入物の第２具体例は、スプレー瓶ディスペンサー内に配置することができる化学品リザーバの柔片を形成することに関わる。化学品リザーバの条片は、高速で製造することができ、おそらく連続条片として製造され、各スプレー瓶ディスペンサー中での隔離を終えたときにの長さで切断される。条片型の挿入物は高速成型法によって製造することができ、例えば、プラスチック条片から化学品リザーバを形成し、化学品リザーバを化学品で充填し、化学品リザーバを密封することによって製造することができる。次いで、この完成した条片をスプレー瓶ディスペンサーに加えるべきリザーバの数に応じた長さに切断し、好ましくは、接着剤または他の方法で瓶部の内側に固着される。プラスチック柔片でできた化学品リザーバは上記法で作製され、それゆえ、化学品リザーバは、器具、とくにダウンチューブの先端で穴を開けるかまたは化学品リザーバに圧力を加えて破裂させることができる。ユーザーは、少なくとも一つ（すなわち、１，２，３個等）の化学品リザーバを破裂させて希釈化学試薬の濃度を特別に調整することができる。それゆえ、本発明に従う概念は、消費者に、従来のスプレー瓶ディスペンサーでは現在入手不可能な濃度を選択させる自由を与える。
【００４７】
第３の具体例において、複数の分離した化学品リザーバを瓶部内に加えることができる。円柱状化学品リザーバは器具、とくにダウンチューブの先端で穴を開けることができる上部封止膜を備える。複数の円柱状化学品リザーバは分離したユニットにすることができまたは、条片または他の手段によって互いに結合することができる。円柱状化学品リザーバは好ましくは瓶部の底壁に位置させてダウンチューブの先端で穴を開ける操作を容易にすることができる。
【００４８】
第４の具体例において、円柱状化学品リザーバは瓶部の側壁を橋渡しする。円柱状化学品リザーバをそのように製造して、円柱状化学品リザーバを、円柱状化学品リザーバの位置の壁を単に押し合わせることで破裂させることができる。
【００４９】
第５の具体例において、分離したドーナツ型の化学品リザーバが従来のダウンチューブに加えられる。ドーナツ型の化学品リザーバは、穴を開けまたは破裂させて化学品を取り出すように製造される。あるいは、ドーナツ型の化学品リザーバ内側表面に少なくと一つの小穴を設け、それをダウンチューブ自体で密封することができる（密封を確実にするために接着剤を用い得る）。このタイプの構造において、ドーナツ型リザーバ内の化学品は、ドーナツ型リザーバを単純にダウンチューブから抜き、ドーナツ型リザーバの内側壁の開口部（小穴）を露出することによって取り出すことができる。ドーナツ型リザーバは、瓶部からスプレーヘッド部を螺子回して外し、最下部のドーナツ型リザーバが瓶部の開口またはその近傍に位置するまでダウンチューブを底部から持ち上げ、瓶部の開口にて手の指でドーナツ型リザーバ４１０を掴み、次いでもう一方の手でそのドーナツ型リザーバをダウンチューブから外すようにダウンチューブを持ち上げ、そしてドーナツ型リザーバを瓶に落下させる。その前後に水を加えて、濃縮物を希釈化学試薬を調製する。
【００５０】
第６の具体例において、階段状の且つ積み重ね配列の複数のリザーバが挿入物に設けられる。頂部リザーバは、底部リザーバに比べて幅が薄く、深さが深い。頂部リザーバと底部リザーバの寸法の間の寸法を有する少なくとも一つのリザーバが頂部リザーバと底部リザーバの間に設けられる。この階段状且つ積み重ねの配置は、器具、特に、ダウンチューブの先端を任意の化学品リザーバに容易に接近させて各リザーバを封止する膜に穴を開けることを可能にする。
【００５１】
第７の具体例において、複数のリザーバが挿入物内に、積み重ね配置で提供される。各リザーバの頂部及び底部は封止膜で密封されている。この挿入物を含むスプレー瓶ディスペンサーを使用する人は、最初に、第１の再装填操作の間に上方リザーバの上部及び下部封止膜に穴を開け、第２の再装填操作の間に中央のリザーバの化学品にアクセスするために中央リザーバの上部及び下部封止膜に穴を開け、そして第３の再装填操作の間に３番目のリザーバに同様の事を行う。
【発明を実施するための最良の形態】
【００５２】
定義
本発明に従うスプレー瓶ディスペンサーは、化学品を含む一以上のリザーバ（即ち、化学品リザーバ）を含む。
【００５３】
化学品リザーバは、パッケージングによりスプレー瓶ディスペンサーと間接的に関連した別のユニットにすることができ、あるいはスプレー瓶ディスペンサーに外部的にまたは内部的に連結することによりスプレー瓶ディスペンサーに直接的に関連させることができる。好ましい具体例は、一以上の化学品リザーバを内部に含み、最も好ましくは、瓶部内に含み当該一以上の化学品リザーバからの意図しない化学品の漏れまたは放出物を完全に包含する。
【００５４】
化学品リザーバを、スプレー瓶ディスペンサーと外部的に連結する場合、瓶部またはスプレーヘッドと連結する、あるいは瓶部及びスプレーヘッドの両方と連結するプラスチックのタブまたは条辺のコネクターのような分離片の機械式締め具によって連結することができる。
【００５５】
あるいは、化学品リザーバは、瓶部、スプレーヘッド部、及び／またはダウンチューブの一体品として形成することができる。その一体品の具体例において、化学品リザーバは、接着剤、プラスチック溶接、プラスチック成形（例えば、成型）または他の手段により連結することによってリザーバを直接スプレー瓶ディスペンサー部品に一体化することができる。
【００５６】
好ましい具体例において、スプレー瓶ディスペンサーは一以上の分離した化学品リザーバを備え、スプレー瓶ディスペンサーを一回以上再装填させる。最も好ましい具体例において、スプレー瓶ディスペンサーは複数の別個の化学品リザーバを備え、ユーザーに一回の再装填の間に２以上の化学品リザーバにアクセスさせて当該再装填操作における再装填混合物の化学品濃度を増大する（例えば、２倍、３倍、４倍等）。
【００５７】
化学品リザーバは、製造を簡略化し、製造コストを低減するために同一のユニットにすることができ、あるいは、化学品リザーバ同士で異なるサイズ、形状、及び／または構造にすることができる。例えば、内部的及び外部的にも結合された化学品リザーバを適用することができ、且つ／または一体式及び別個のタイプの化学品リザーバを組み合わせることができる。
【００５８】
スプレー瓶ディスペンサーの一以上の化学品リザーバは化学品を含む。特に、リザーバは、単一の化学組成物のみ、化学品の一相混合物、化学品の二相混合物、分散液または任意の他の液状化学品で充填または部分的に充填することができる。あるいは、化学品は、タフルット、粉体若しくは粒体、または濃厚なスラリーのような半固体の形態にすることができる。いずれの場合でも、リザーバは、溶媒、特に淡水により容易に希釈または溶解することができる化学試薬を含むべきである。
【００５９】
本発明に従うスプレー瓶ディスペンサー１０の好ましい具体例を、図１〜５に示す。スプレー瓶はカプラー１６を含むスプレーヘッド部１２を有する。カプラー１６はその内側に螺子部が形成され、螺子部が外側に付けられた瓶部１４の首部に螺合されている。ダウンチューブ１８はスプレーヘッド部１２に連結されており、瓶部１４の底に向かって延在する。
【００６０】
スプレー瓶ディスペンサー１０には、３つの分離した室２２，２４及び２６を有する挿入物２０が装着される。図２に示した挿入物２０の具体例において、挿入物２０は、挿入物２０の上部にリム２８を備える。リム２８は、図５に示したように、瓶１４の螺子付首部３０の内径よりも大きな径を有する。それゆえ、リム２８は挿入物２０を瓶１４内に吊るように機能する。
【００６１】
室２２，２４及び２６は、予め決められた量の濃縮液を各室内で貯蔵するために使用される。図５に示したように、室２４及び２６はその頂部にて上方封止膜３２により密封されており、室２４及び２６の底部は下方封止膜３４により密封されている。室２２は、開放され（即ち、封止膜３２、３４により覆われておらず）、ダウンチューブを収容しており、また、水のような溶媒を挿入物２０を通じて瓶部１４に加えることを可能にする。
【００６２】
挿入物２０は、好ましくは、好適なプラスチック材料から製造され、そして上方封止膜３２及び下方封止膜３４は好ましくは好適なプラスチックフィルム、金属ホイル、または他の好適な単一または複合膜から製造される。膜は、内容物に対して耐化学性であり且つ挿入物をしっかり液体シールさせるのに好適なものにすべきである。上方封止膜３２及び下方封止膜３４は種々の手段により挿入物２０に取り付けることができる。例えば、膜３２及び膜３４は、結合、接着結合、熱溶接、音波溶接、または室２２，２４及び２６にしっかりとした液体シールをもたらすのに好適な任意の慣用手段（例えば、気密シール）により取り付けることができる。
【００６３】
図１に示した挿入物２０の代わりに、好適な構造を有する他の種々の挿入物を用いることができる。例えば、図６Ａに、開放した中央室３６及び４つの化学品室３７，３８，３９及び４０を有する５室挿入物２０’を示し、図６Ｂに、室４１，４２，４３及び４４を有する４室挿入物２０”を示す。さらに、挿入物の瓶１４の長さに対する長さは、挿入物中に用いられる濃縮物の異なる濃縮レベルに基づいて実質的に変化させることができる。特に、いっそう高い濃度の濃縮物は挿入物の室内でより小さい容積で足り、それゆえ、挿入物の必要な長さを減らす。
【００６４】
挿入物２０は、種々の異なる技法で製造することができるが、射出成形または押し出し法が最も好適な製造方法である。
【００６５】
挿入物２０は、瓶の内部に収容した形で店頭販売することができ、且つ／または従来のスプレー瓶内に挿入することができる別のユニットとして売買することができる。
【００６６】
挿入物２０を瓶の内部に収容した形で販売の対象とする場合には、３つの室２２，２４及び２６は始めから化学品リザーバにすることができる。瓶は水または他の好適な希釈液で充満されており、室２２を密封する頂部封止膜３２及び底部封止膜３４は、スプレーヘッドを底部に確実に留めてパッケージング組立品を完成させる前に、ダウンチューブ１８を瓶部に挿入する間にダウンチューブ１８の先端が差し込まれて穴が開けられる。あるいは、室２２を開放して（すなわち、上記のように、液体濃縮物をなくし）、瓶を最初から適当な濃度に希釈された化学試薬液で充満して市場に出してもよい。この場合、ダウンチューブ１８は組立の間に開放室２２に挿入される。図３に示したように３室を有する具体例において、室２４及び２６に含まれる濃縮物の２回の追加放出は、後に消費者がそれらの室を破って瓶に濃縮物を放出することによって行うことができる。消費者は、瓶１４に、放出段階の前または後に空の室２２を通じて水を供給することができる。
【００６７】
本発明に従うスプレー瓶１００の第２具体例を図７〜９に示す。スプレー瓶１００はスプレーヘッド部１０２及び瓶部１０４を含む。スプレーヘッド部１０２は、スプレーヘッド部１０２を瓶部１０４の螺子付き首部に結合するための螺子付きカプラー１０６を含む。ダウンチューブ１０８はスプレーヘッド部１０２に連結されており、瓶部１０４の底部に向かって延在する。
【００６８】
この第２具体例において、液体濃縮物を含む複数の化学品リザーバを有する柔片１１０が瓶部１０２内に設けられる。柔片１１０は、瓶部１０４の一つの壁の内側表面に取り付けられている。柔片１１０の特定の位置は、図７に示した位置から瓶部１０４の側部及び／または底部の他の位置に変更することができる。化学品リザーバ１１２は、各々、ダウンチューブ１０８の先端をリザーバ１１２の表面に押し付けるかあるいは瓶部１０４の外側壁をつまんで化学品リザーバ１１２の少なくとも一つを破裂させかのいずれかによって破裂させることができるような方法で作製される。例えば、化学品リザーバ１１２は、図８及び９に示したように、その壁が薄弱な線部を少なくとも一本有するように作製することができる。
【００６９】
条片１１０は、好ましくは、不定の長さで製造され、次いで特定の用途の長さに切断される。それゆえ、異なる寸法の瓶はより多いあるいは少ない数の個々の化学品リザーバ１１２を有することが可能である。さらに、不定の長さにより条片を作製することは、瓶詰めの間に高速挿入するための条片１１０の高速製造を可能にするであろう。図８に示した具体例において、条片１１０は封止層１１８を条片１１０の背面に接続するための接着層１１６を備える。別の接着層１２０は条片１１０を瓶部１０４の壁に結合する。
【００７０】
図１０及び１１に、本発明に従うスプレー瓶ディスペンサー２００の第３の具体例を示す。スプレー瓶ディスペンサー２００はスプレーヘッド部２０２と瓶部２０４とを含む。スプレーヘッド部２０２は、スプレーヘッド部２０２を瓶部２０４の螺子付き首部に結合するための螺子付きカプラー２０６を含む。ダウンチューブ２０８はスプレーヘッド部２０２に連結されており、瓶部２０４の底部に向かって延在する。
【００７１】
この第３の具体例において、複数の化学品リザーバ２１０が瓶部２０４の底に設けられる。それらの化学品リザーバ２１０は独立した化学品リザーバすることができ、あるいは機械式カプラーによってなんらかの方法にて共に結合することができる。いずれの場合も化学品リザーバ２１０はそれらが瓶部２０４の開放口を通ることができるように製造しなければならない。
【００７２】
化学品リザーバ２１０の一つの詳細な断面図を図１１に示す。化学品リザーバ２１０は、その頂部に開放端２１２を有する円柱状または別の好適な形状にすることできる。開放端２１２は器具、特にダウンチューブ２０８の先端で穴を開けることができる金属箔によって封止されている。リザーバ２１０は少なくとも部分的に化学品濃縮液Ｌが充填されている。
【００７３】
使用時に、スプレー瓶ディスペンサー２００は、瓶詰業者によって希釈された化学品試薬が充填される。４つの化学品リザーバ２１０はそれぞれ少なくとも部分的に充満される。それゆえ、この特定の構造は４回の再装填操作を可能にする。各々の再装填操作は、スプレーヘッド部２０２の螺子付きカプラーの螺子を緩め、スプレーヘッド部２０２を、ダウンチューブ２０８の先端がリザーバ２１０の上面を超えるまで上方にわずかに傾けることから始める。次いで、ユーザーはダウンチューブ２０８の先端をリザーバ２１０の一つの金属箔２１４に押し込んで穴を開ける。瓶部２０４を、化学品リザーバ２１０の一つにアクセスする段階の前あるいは後に、水で満たす。
【００７４】
図１２〜１４に、本発明に従うスプレー瓶ディスペンサー３００の第４の具体例を示す。スプレー瓶ディスペンサー３００はスプレーヘッド部３０２と瓶部３０４とを含む。スプレーヘッド部３０２は、スプレーヘッド部３０２を瓶部３０４の螺子付き首部に結合するための螺子付きカプラー３０６を含む。ダウンチューブ３０８はスプレーヘッド部３０２に連結されており、瓶部３０４の底部に向かって延在する。
【００７５】
この第４の具体例において、条片３１０と３１２は複数の化学品リザーバ３１４を連結している。図１２に５つのリザーバを示すが、それより多くあるいは少ないリザーバを用いることができる。
【００７６】
このリザーバ３１４は、図１３及び１４に示したように薄弱な線部３１６を備える。薄弱な線部３１６はリザーバ３１４に力が加わったときにリザーバ３１４を破裂させる。例えば、化学品リザーバ３１４の一つが位置する瓶部３０４の側部を絞ってその化学品リザーバ３１４を破裂させることができる。
【００７７】
条片３１０及び３１２は、好ましくは、瓶部３０４の壁に固定される。例えば、条片３１０及び３１２は、接着剤で接着し、または音波溶接若しくは熱溶接で結合させる。条片３１０及び化学品リザーバはプラスチックから成型することができる。
【００７８】
この特定の具体例において、スプレー瓶ディスペンサー３００は少なくとも一つのリザーバ３１４を破裂させることによって再装填される。より多くのリザーバ３１４を破裂させると、希釈された化学試薬の濃度が一層高くなる。破裂操作の前後に水のような溶媒を加えることができる。スプレー瓶ディスペンサーは、複数回の再装填操作を可能にする複数のリザーバ３１４を含めて、瓶詰め業者によって希釈された化学試薬が充填されるのが好ましい。
【００７９】
図１５〜１７に、本発明に従うスプレー瓶ディスペンサー４００の第５の具体例が示されている。スプレー瓶ディスペンサー４００はスプレーヘッド部４０２及び瓶部４０４を含む。スプレーヘッド部４０２は、スプレーヘッド部４０２を瓶部４０４の螺子付き首部に結合するための螺子付きカプラー４０６を含む。ダウンチューブ４０８はスプレーヘッド部４０２に連結されており、瓶部４０４の底部に向かって延在する。
【００８０】
第５具体例において、複数のドーナツ型の化学品リザーバ４１０がダウンチューブ４０８上に設けられている。特に、ドーナツ型の化学品リザーバ４１０はそれぞれタウンチューブ４０８を通す中央穴４１２を有する。化学品リザーバ４１。は、図１６及び１７に示すように、化学試薬液Ｌを含む化学品リザーバ４１０の上端を密封するための金属箔４１４を備える。
【００８１】
使用の際、スプレー瓶ディスペンサー４００は、最初に、希釈された化学試薬が瓶詰め業者により充満されて、店頭販売される。希釈された化学試薬が最初に消費された後に、ユーザーは本体部４０４からスプレーヘッド部４０２をその螺子を回して外し、ダウンチューブ４０８を底部４０４から持ち上げる。次いで、ユーザーはリザーバ４１０の最下部を握り、単にダウンチューブ４０８の末端からそれを引き抜く。次いで、金属箔４１４に、器具、特に、ダウンチューブ４０８の先端で穴を開ける。穴が開いたリザーバは瓶部４０４内に落下させる。水のような溶媒を、リザーバ４１０の開穴段階の前に、瓶部４０４に加える。次いで、スプレーヘッド部４０２を瓶部４０４に螺子込むことによってスプレー瓶ディスペンサー４００を組み立てる。
【００８２】
ドーナツ型の化学品リザーバ４１０’の別の具体例を図１７Ｂに示す。この化学品リザーバ４１０’は、頂部が密封されて化学品濃縮液Ｌを含む環状室４１６を区画している。少なくとも一つの小孔４１８が貫通孔４１２’の内壁上に提供されて化学品がそこを通って逃げ出すことを可能にする。孔４１８は、ダウンチューブが中央孔１１８を通して挿入されるときに、ダウンチューブの外側表面によって密封される。さらに、接着剤またはシーラントの薄膜をドーナツ型の化学品リザーバとダウンチューブとの間に塗布してさらに孔４１８の封止を確実にすることができる。
【００８３】
スプレー瓶ディスペンサーの第６の具体例は、図１８〜２１に示したような挿入物５００を用いる。挿入物５００は、リップ部５０４を有するシリンダ部５０２と、シリンダ部５０２を上方リザーバ５０８に連結するコネクター部５０６と、上方リザーバ５０８を中央リザーバ５１２に連結するコネクター部５１０と、中央リザーバ５１２を下方リザーバ５１６に連結するコネクター部５１４とを含む。ダウンチューブ５１８は、中空シリンダ部５０２を通過するように示されているが、挿入物５００に連結されていない。
【００８４】
リザーバ５０８，５１２及び５１６は積み重ねて且つ階段状に配置されている。上方リザーバ５０８は下方リザーバ５１６に比べて幅が薄く、深さが深い。中央リザーバ５１２は上方リザーバ５０８と下方リザーバ５１６との間の寸法を有する。この階段状且つ積み重ねの配置は、挿入物がスプレー瓶ディスペンサー中に残ったまま、リザーバ５０８，５１２，５１６のリザーバの各々を密封する封止膜（図示しない）に穴を開ける器具をアクセスさせることを可能にする。
【００８５】
挿入物６００を有するスプレー瓶ディスペンサーの第７の具体例を図２２及び２３に示す。挿入物６００は、リップ部６０４を有するシリンダ部６０２と、シリンダ部６０２を上方リザーバ６１０に連結するコネクター部６０８と、上方リザーバ６１０を中央リザーバ６１４に連結するコネクター部６１２と、中央リザーバ６１４を下方リザーバ６１８に連結するコネクター部６１６とを含む。各リザーバ６１０，６１４及び６１８の頂部及び底部は開口であり、それぞれ、上部金属箔６２０及び下部金属箔６２２で密封されている。
【００８６】
使用時は、最初に、瓶詰め業者により希釈された化学試薬が充填され、ダウンチューブはシリンダ部６０２だけに通す。初期の希釈した化学試薬を消費した後に、ユーザーはダウンチューブを上方リザーバ６１０のレベルを超えるように引上げ、ダウンチューブの先端をリザーバ６１０の上部金属箔６２０と下部金属箔６２２に押し付け、化学品濃縮液を瓶部に放出させる。化学品濃縮液にアクセスする前または後に、水のような溶媒を加える。金属箔６２０，６２２に穴を開けた後、ダウンチューブを上方に持ち上げ、次いで、シリンダ部６０２とリザーバ６１０の側部との間に通す。あるいは、ダウンチューブを、リザーバ６１０を通して中央リザーバ６１４の側部に沿って中央リザーバ６１４に穴を開けないように螺子込むことができる。コネクター部６０８，６１２及び６１６は、ダウンチューブの挿入操作の間に、下方リザーバをダウンチューブによって穴を開けないように、その挿入路から移動させる蝶番として作用するのに十分な程、実質的に柔軟である。
【００８７】
別の具体例において、各リザーバの上部に穴を開けることができる膜を備え、各リザーバの底部はリザーバと一体成型された部分であり、容易に穴が開かないようにすることができる。
【００８８】
第８の具体例において、機械式カプラー７００が挿入物７０２に連結されている。挿入物７０２は図２に示した挿入物と同一であるが、リップ部２８を持たない。機械式カプラーはリップ部７０４及び、４つの埋め合わせ７０８（図２４及び２５には２つのみを示した）によって連結されたコネクター部７０６を含む。コネクター部７０６は、締り嵌め、接着剤、音波溶接、熱溶接、または他の好適な手段によって挿入部７０２の上部に連結される。
【００８９】
この構造は４つのポート７１０を提供し、４つのポート７１０は、この構造を有するスプレー瓶ディスペンサーを再装填するときに、機械式カプラー７００の中央を通じて水を注入し、４つのポート７１０を通って瓶部内に水を入れる。
【００９０】
この構造は、リップを挿入物に一体化する必要がないので、挿入物７０２を連続的に押し出すことを可能にする。挿入物７０２には、上部及び下部封止膜（図示しない）が備えられ、次いで、組立の間に機械式カプラー７００に取り付けられる。それゆえ、挿入物７０２は、高速で押し出された連続長の材料から切り出し、化学品濃縮物を充填し、両端を封止膜で密封し、次いで、機械式カプラー７００を組み付けることによって完成した組立体にすることができる。
【００９１】
〈デュアルリザーバディスペンサー〉
以下の具体例は、分与装置（ディスペンサー）に連結された化学品リザーバ及び溶媒（例えば、水のような希釈液）リザーバを有するスプレー瓶ディスペンサーを含む。溶媒リザーバは再補充可能であり、化学品リザーバは随意に再補充可能である。好ましい具体例において、化学品リザーバ及び溶媒リザーバはスプレー瓶ディスペンサーの瓶内に置かれる。
【００９２】
図２６に、分離した再補充可能な溶媒リザーバ８０２と分離した再補充可能な化学品濃縮物リザーバ８０４を有するスプレーディスペンサー８００の概略図を示す。この構造は、ポンプ型のスプレーヘッド及び／または加圧された分与構造（すなわち、エアロゾル）とともに用いることができる。
【００９３】
再補充可能な溶媒リザーバ８０２は、再密封可能な閉め具、例えば、螺子付キャップ８０６を備え、溶媒Ａを最初に加えまたは追加の溶媒Ａを再補充することを可能にする。再補充可能な化学品リザーバ８０４は、再密封可能な閉め具、例えば、螺子付キャップ８０８を備え、化学品濃縮物Ｂを最初に加えまたは追加の化学品濃縮物Ｂを再補充することを可能にする。螺子付キャップ８０６及び８０８は、他のタイプの慣用の再密封可能な閉め具に代えることができる。
【００９４】
溶媒リザーバ８０２から延在する管８１０と化学品リザーバ８０４から延在する管８１２は、混合室８１４に連結する。混合室８１４の内部で、化学品濃縮物Ｂは溶媒Ａにより希釈されて所定の化学品濃度の活性成分を有する作業化学品溶液を形成する。作業溶液は次いでスプレーディスペンサーから分与される。例えば、作業化学品溶液は、ポンプ室８１６に引上げられスプレーヘッド８１８から押し出される。
【００９５】
図２６に示した具体例において、管８１０及び８１２の入口は、それぞれ、溶媒リザーバ８０２及び化学品リザーバ８０４の底部に配置されて実質的に各リザーバを空にすることができる。しかしながら、図示した構造に代えて、以下に詳細に議論するダウンチューブ及び他の管通路構造に係わる他の好適な構造を用いることができる。
【００９６】
化学品濃縮物リザーバ９０４に直接連結した溶媒リザーバ９０２を有する別のスプレーディスペンサー９００の概念図を図２７に示す。詳細には、溶媒リザーバ９０２は、プラスチック連結ウェブ９０５によって化学品濃縮物リザーバ９０４に連結されている。例えば、溶媒リザーバ９０２及び化学品濃縮物リザーバ９０４は単一のプラスチック片から吹込成型することができる。あるいは、リザーバを別々に製造して、リザーバ中に与えられた取り付け手段及び／または分離した取り付け手段によって互いに連結することができる。
【００９７】
再補充可能な溶媒リザーバ９０２は、再密封可能な閉め具、例えば、螺子付キャップ９０６を備え、溶媒Ａを最初に加えまたは追加の溶媒Ａを再補充することを可能にする。再補充可能な化学品リザーバ９０４は、再密封可能な閉め具、例えば、螺子付キャップ９０８を備え、化学品濃縮物Ｂを最初に加えまたは追加の化学品濃縮物Ｂを再補充することを可能にする。螺子付キャップ９０６及び９０８は、他のタイプの慣用の再密封可能な閉め具に代えることができる。
【００９８】
溶媒リザーバ１００２及び化学品濃縮物リザーバ１００４を有する別のスプレーディスペンサー１０００の概念図を図２８に示す。再補充可能な溶媒リザーバ１００２は、再密封可能な閉め具、例えば、螺子付キャップ１００６を備え、溶媒Ａを最初に加えまたは追加の溶媒Ａを再補充することを可能にする。再補充可能な化学品リザーバ１００４は、再密封可能な閉め具、例えば、螺子付キャップ１００８を備え、化学品濃縮物Ｂを最初に加えまたは追加の化学品濃縮物Ｂを再補充することを可能にする。螺子付キャップ１００６及び１００８は、他のタイプの慣用の再密封可能な閉め具に代えることができる。
【００９９】
ダウンチューブ１０１０が溶媒リザーバ１００２中に備えられ、ダウンチューブ１０１２が化学品濃縮物リザーバ１００４中に備えられる。ダウンチューブ１０１０及び１０１２は混合室１０１４に連結されている。混合室１０１４内において、化学品濃縮物Ｂは溶媒Ａで希釈されて所定の化学品濃度の活性成分を有する作業化学品溶液を形成する。次いで、作業化学品溶液はスプレーディスペンサーから分与される。例えば、作業化学品溶液はスプレーポンプ１０１６に引き込まれ、次いでスプレーヘッド１０１８から分与される。
【０１００】
図２９Ａに示したように、溶媒リザーバ及び化学品リザーバの両方に再密封可能な閉め具が設けられていない方が望ましい用途がある。例えば、ディスペンサーが、一回の使用のために売買される場合であり、化学品の濃縮物の使用によりディスペンサーの単位重量当たりの輸送重量の低減をもたらす。あるいは、図２９Ｂに示したように、化学品リザーバだけに再密封可能な閉め具が備わっていない場合もある。例えば、化学品濃縮物の毒性及び腐食性のために、ディスペンサーの溶媒リザーバを少なくとも一回再補充可能にしつつ、化学品リザーバは完全に密封して子供の毒殺または化学品の漏れによる危害を防止することが望ましいであろう。
【０１０１】
しかしながら、好ましくは、図２９Ｃに示したように、溶媒リザーバ及び化学品リザーバの両方に再密封可能な閉め具を備えて、溶媒と化学品濃縮物を最初に加えさせ、後に再補充させる。この構造は、ディスペンサーを、最終的に廃棄する前に、溶媒と化学品濃縮物の両方で多数回再補充することを可能にし、大量の洗浄化学品を消費する商業的な洗浄業者の分野でかなりの用途を有するであろう。
【０１０２】
ダウンチューブを用いる具体例においては（例えば、図２８）、溶媒リザーバ及び化学品濃縮物リザーバは、図３０Ａに示したように別々の容器にすることができる。あるいは、図３０Ｂに示したように、溶媒リザーバ及び化学品濃縮物リザーバを連結した容器にすることができる。さらに、溶媒リザーバ及び化学品濃縮物リザーバの相対寸法を異なるようにすることができる。例えば、図３０Ｃに示したように、分離したより小さな化学品濃縮物リザーバを、より大きな溶媒リザーバと接続して用いることができ、または、図３０Ｄに示したように、より大きな溶媒リザーバと結合して用いることができる。より小さな化学品濃縮物リザーバの使用は、ディスペンサー重量を減じ、ディスペンサー中の毒性及び腐食性の化学品濃縮物の量を制限する場合に特に望ましくなる。より小さい化学濃縮物リザーバ及びそこに含まれる化学濃縮物のより低い濃度は予め選択されて、それゆえ、溶媒リザーバの一回の消費によって完全に消費するか、あるいは、溶媒リザーバの一回の消費によって部分的に消費して少なくとも一回溶媒リザーバを再補充させることを可能にする。
【０１０３】
本発明に従う分与装置の好ましい具体例には、より大きな溶媒リザーバ内に配置されたより小さな化学品濃縮物リザーバを含む。この構造は、化学品濃縮物が化学品濃縮物リザーバ及び溶媒リザーバの両方の内側に含まれているので、特に安全である。それゆえ、この構造をいじる子供は最初に溶媒リザーバに接近することなく化学品濃縮物に直接接近することはできない。さらに、化学品濃縮物リザーバは完全に密封して且つ実質的に入り込めない構造に作製することがきる（例えば、気密プラスチック容器）。さらに、意図しない化学品濃縮物の化学品濃縮物リザーバからの漏れまたは溢れはこの溶媒リザーバの内側に含まれる。
【０１０４】
図３１Ａ〜Ｄに示す具体例において、化学品濃縮物リザーバは種々の方法で提供することができる。例えば、化学品濃縮物リザーバは溶媒リザーバを区画する別の容器内に配置した分離した容器にすることができる。あるいは、化学品濃縮物は溶媒リザーバの少なくとも一つの壁と連続する少なくとも一つの壁を有する一体型リザーバとして製造することが可能である。さらに、化学品濃縮物リザーバは柔軟な材料から製造することかできる（例えば、薄い柔軟なフィルム材料）。
【０１０５】
吸引ポンプ型の構造を用いる分与装置の具体例（即ち、従来のスプレーポンプ型スプレーヘッド）においては、化学品濃縮液はスプレーヘッドの吸引ポンプ構造によって発生した吸い込みによってダウンチューブに引き込まれる。もし、化学品濃縮物が硬直のまたは準硬直の壁を有する化学品濃縮物リザーバ内に含まれるならば、化学品濃縮物リザーバは液体のダウンチューブへの吸い上げを可能にするなんらかの方法で通気しなければならず、あるいは、化学品濃縮物リザーバを加圧して化学品濃縮液をダウンチューブに押し上げなければならない。もし、化学品濃縮物か少なくとも一つの弾力性若しくは柔軟な壁部または膜を有する化学品濃縮物リザーバ内に含まれるならば（即ち、何らかの方法でしぼませる）、リザーバを通気することなく濃縮液をダウンチューブに吸い込み、化学品濃縮物リザーバをしぼませて化学品濃縮溶液を取り出すことができる。
【０１０６】
化学品濃縮物は、ダウンチューブのような管で化学品濃縮物の供給源にアクセスできるように液状であることが好ましい。あるいは、化学品濃縮物を、固体、粒状、集合体、エマルジョン、蒸気及び他の形態のような少なくとも一つの状態で貯蔵することができる。これらの具体例の各々において、分与装置は、化学品濃縮物を溶媒と接触させるように位置付けて作業化学品試薬溶液を生成するなんらかの手段を含まなければならない。化学品濃縮物を溶媒と接触させる手段は、特定の構造に応じて、連続、選択的または断続的な操作を有することができる。例えば、固体化学品濃縮物は、溶媒リザーバと化学品濃縮物リザーバを流体連結する少なくとも一つのアクセス孔または管を化学品濃縮物リザーバに提供することによって溶媒リザーバと連続接触させ得る。
【０１０７】
本発明に従う分与装置の好ましい具体例を図３２に示す。この分与装置１１００は首部１１０４及び随意の首部１１０６を有するスプレー瓶１１０２を含む。再密封可能なキャップ１１０８が首部１００６に接続されて溶媒Ａをスプレー容器１１０２に初期に加えることまたは再補充することを可能にする。溶媒Ａと化学品濃縮物Ｂの作業混合物をスプレーするためのポンプ型スプレーヘッド１１１０が首部１１０４に接続される。
【０１０８】
分与装置１１００はプラグ状（栓状あるいは差し込み型）本体１１１４を含むアダプタ１１１２を含み、プラグ状本体１１１４は首部１１０４内にアダプタ１１１２を吊すための半径方向外側に延びた上部フランジ１１１６を有する。プラグ状本体１１１４は、アタプタ１１１２の取り出しを促進するために首部１１０４の内寸よりも僅かに小さくなるように寸法が調整されて、特に随意の首部１１０６及び再密封可能なキャップ１１０８を持たないスプレー瓶１１０２の具体例においては、スプレー瓶１１０２の溶媒の再補充を可能にする。あるいは、プラグ状本体１１１４は、アダプタ１１１２の取り出しを防止するために首部１１０４の内寸よりも僅かに大きくなるように寸法を調整することができ、例えば、子供が化学品濃縮物に触れることを防止する。さらに、プラグ状本体１１１４は接着剤で接着し、または、さらに別の方法で、例えば、溶解又は溶接で結合してプラグ状本体１１１４及び／またはスプレー瓶１１０２を破壊することなくプラグ状本体１１１４を取り出すことが殆どできないようにすることができる。スプレー瓶１１０２に直接結合されたプラグ状本体１１１４を有する具体例においては、フランジ１１１６はプラグ状本体１１１４を吊るす機能をしないので随意に除去することができる。
【０１０９】
プラグ状本体１１１４は、その下方に延在するプラグ状延在部１１１８を備える。プラグ状延在部１１１８は化学品濃縮物Ｂを含む容器１１０２に連結する。例えば、容器１１２０は、プラグ状本体の外寸と容器１１２０の上部の内寸との間の締り嵌めによって結合することができる。あるいは、容器１１２０は、いくつかの他の好適な手段で、例えば、螺子結合、接着剤、溶融、溶接、機械式締め具等によりプラグ状本体１１１４に連結してそれらの間の離脱可能なあるいは離脱できない結合をもたらす。
【０１１０】
特に好適な容器１１２０は、図３２に示した半球型の端部付の円柱体を有する試験官型の容器である。試験官型の容器１１２０はガラスから作製して顕著な耐化学性をもたらすことができるが、意図しない割れを防止するためにプラスチックが一層好適であろう。あるいは、他の好適な形状及び寸法の容器を、試験官型の容器１１２０に代えることができる。容器１１２０が一層大きいと、一層多くの化学品濃縮物をスプレー容器１１０２内に貯蔵することができるが、同じ寸法のスプレー容器１１２０内で溶媒Ａのための付属の空間までを使用することになる。
【０１１１】
ダウンチューブ１１２２が容器１１２０内に設けられて、化学品濃縮物Ｂをダウンチューブ１１２２を通じてプラグ状アダプタ１１１２に引上げることを可能にし、プラグ状アダプタ１１１２で溶媒Ａとの混合が行われる。さらに、ダウンチューブ１１２４がスプレー瓶１１０２内部に設けられて溶媒Ａをダウンチューブ１１２４を通じてプラグ状アダプタ１１１２に引上げ、そこで化学品濃縮物Ｂとの混合を行なわせる。
【０１１２】
プラグ状アダプタ１１１２は、スプレーヘッド１１１０との結合のために管状延在部１１２６を備える。例えば、プラグ状アダプタ１１１２は、プラスチック射出成型片であり、その上方に一体成型された管状の延在部１１２６を備える。管状の延在部１１２６は、従来型のスプレーヘッドの従来型のダウンチューブ受入れ体内で受け取られることができるように従来型のダウンチューブの形状及び寸法にされている。あるいは、プラスチックチューブ状の他の好適な管構造をアダプタ１１１２とスプレーヘッド１１１０との間の液体連結をもたらすために採用することができる。
【０１１３】
好ましいアダプタ１１１２の詳細な構造を以下に説明するとともに、図３４及び３４に示す。アダプタ１１１２は、図３４に示したように、互いに組み立てられる、上部本体部１１２８、下部本体部１１３０、ボールフロート１１３２及びボールフロート１１３４を含む４つの分離した部材から作製される。
【０１１４】
上部本体１１２８及び下部本体部１１３０は好ましくはプラスチック射出形成によって製造され、図示のような構造を有する。上方本体１１２８は、上部フランジ部１１１６ａと下部ディスク部１１３６を連結する円柱本体部１１３２を含む。管状延在部１１２６は、下部ディスク部１１３６から上方に延在して、上部本体部１１２８を通る流体通路１１３８を画定する。
【０１１５】
流体通路１１４２を有する管状延在部１１４０は下部ディスク部１１３６の下方で複数の空間的に隔離した支持体１１４６により支持されている。例えば、空間隔離支持体は１１４６は９０度おきに隔離され、それらの間に４つの流体通路または穴をもたらす（例えば、おり状構造）。管状延在部１１４０の下部には漏斗型の通路部１１４８を備える。
【０１１６】
下部本体部１１３０は、上部フランジ部１１１６ｂと下部ディスク部１１５２を連結する円柱本体部１１５０を含む。円柱本体部１１５０は、また、上方本体部１１２８の底部が載置される上面部１１５４ａを有する下部フランジ部１１５４を備える。特に、下部フランジ部１１５４の上面部１１５４ａは、上部本体１１２８が下部本体部１１３０の内側に嵌め込まれる程度を制限するストッパとして働く。さらに、プラグ状延在部が下部本体部１１３０の底部に提供されて上記のように容器１１２０とを連結する。
【０１１７】
上部本体部１１２８の下部ディスク部１１３６の下面１１３６ａと下部本体部１１３０の下部ディスク部１１５２の上面１１５２ａとの間に混合室ＭＣが画定される。下部本体部１１３０の下部フランジ部１１１４の高さは混合室ＭＣの高さを定義する。混合室ＭＣは上部本体部１１２８の通路１１３８及び１１４２と連続的に流体連結している。
【０１１８】
下部本体部１１３０は、下部通路部１１５６ａ、漏斗型通路部１１５６ｂ及び上部通路部１１５６ｃを含む流体通路１１５６を備える。下部通路部１１５６ａは、ダウンチューブ１１２４の上部との締り嵌め結合をもたらすような寸法にされている（図３５参照）。さらに、上部通路部１１５６ｃはボールフロート１１３２を収容する寸法であり、漏斗型の通路部１１５６ｂはボールフロート１１３２を支えるように配向し且つ一方通行弁を提供し、溶媒Ａがダウンチューブ１１２４を上がって混合室ＭＣに入ることのみを可能とし、混合室ＭＣ中の混合流体が一方通行弁を通じてダウンチューブ１１２４を通ってスプレー瓶１１０２に移動することを防止する。
【０１１９】
下部本体部１１３０はまた流体通路１１６０を有する管状延在部１１５８を備える。流体通路１１６０は、下部流体通路部１１６０ａ、漏斗型流体通路部１１６０ｂ及び上部流体通路部１１６０ｃを含む。下部通路部１１６０ａは、ダウンチューブ１１１２の上部との締り嵌め結合をもたらすような寸法にされている（図３５参照）。さらに、上部通路部１１６０ｃはボールフロート１１３４を収容する寸法であり、漏斗型の通路部１１６０ｂはボールフロート１１３４を支え且つ一方通行弁を提供するように配向し、化学品濃縮液Ｂがダウンチューブ１１１２を上がって混合室ＭＣに入ることのみを可能とし、混合室ＭＣ中の混合流体が一方通行弁を通じてダウンチューブ１１１２を通って容器１１２０に移動することを防止する。さらに、管状延在部１１４０の漏斗型通路部１１４８はボールフロート１１３４が上方に移動するときにボールフロート１１３４を支持しその上方への移動を停止するとともに下方一方通行弁に対して反対の流動動作を有する一方通行弁をもたらす。
【０１２０】
管状延在部１１５８の二つの一方通行弁は計量弁となる。特に、ボールフロート１１３４の移動高さＨは混合室ＭＣに分配される化学品濃縮液の量を計量するための固定容積を有する計量室Ｃを区画する。さらに、ボールフロート１１３４は液体通路１１６０の内径未満に寸法化されて、以下に述べる計量操作の一部の間に液体をボールフロート１１３４の周囲に移動させる。
【０１２１】
図３５に示したように、上部本体部１１２８は下部本体部１１３０とは分離している。上部本体部１１２８は下部本体部１１３０と組立られたアダプタ内で連結している。例えば、フランジ部１１１６ａ及び１１１６ｂは共に接着または溶接して組立体を完成することができる。いずれの場合にも、上部本体部１１２８は下部本体部１１３０との接合は封止して混合室ＭＣを密封しなければならない。
【０１２２】
プラグ状アダプタ１１１２はアダプタ１１１２の上方で且つスプレーヘッド１１１０の下方に位置する空気空間をスプレー瓶１１０２及び容器１１２０中の空気空間と連結するための空気通路を備えて、溶媒Ａと化学品濃縮液Ｂの容積がスプレー瓶１１０２及び容器１１２０からそれぞれ除去されたときに、空気容積がそこに加わって液体の容積損失を埋め合わせなければならない。しかしながら、容器１１２０が柔軟なまたは弾力性の壁からできた容器、例えば、しぼめる容器（例えば、気球状の容器）であるならば、空気通路は容器１１２０に不要である。
【０１２３】
空気通路１１６２はプラグ状アダプタ１１１２の側部に沿って設けることができる。例えば、下部本体１１３０の側部にそって設けられた溝に延びる穴をフランジ１１１６中に設けることができる。この構造はスプレー瓶１１０２への空気通路を提供する。溝は、プラグ状の延在部１１１８に沿って延びて、また化学品濃縮液Ｂを収容する容器１１２０への空気通路を提供する。
【０１２４】
別の具体例において、一方通行弁を除去しまたはその位置を再調整して溶剤Ａ及び化学品濃縮液Ｂの汚染を防止することも可能である。例えば、単−の一方通行弁を液体通路１１３８に設けることができるが、この配置は未だ混合室ＭＣ中に動作液を溶剤Ａ及び化学品濃縮液Ｂとともに置いている。さらに他の好適な計量構造を工夫し、記載し図示したものに置き換えることができる。
【０１２５】
操作時、ダウンチューブ１１１２及び１１２４並びに混合室ＭＣが装着された後、スプレーヘッド１１１０（図３２）の操作により、液体を、支持体１１４６によって区画される空間隔離孔を通じて、混合室ＭＣから上方に吸い上げ、次いで、液体通路１１３８を通ってスプレーヘッド１１１０に適当な濃度の活性成分を有する作業混合液を供給する。
【０１２６】
液体が混合室ＭＣから吸引されると、一方通行弁を画定するボールフロート１１３２は上方に移動して溶媒Ａをダウンチューブ１１２４、通路１１５６を通じて混合室ＭＣに引き上げる。同時に、計量弁のボールフロート１１３４は上方に移動してボールフロート１１３４の上方に位置する化学品濃縮液の容量を上方に移動させて混合室ＭＣに入れる。ボールフロート１１３４は上方に移動して、ボールフロート１１３４が漏斗型の流体通路１１４８によって停止されるまで、化学品濃縮液をダウンチューブ１１１２からボールフロート１１３４の下方に位置する計測室Ｃに引き上げる。スプレーヘッドが、各スプレーサイクルの終わりに混合室ＭＣ内での液体吸引を開放するとき（すなわち、ポンプの引き手が完全に引かれたとき）、ボールフロート１１３４は重力により下方に移動しつつ化学品濃縮液をボールフロート１１３４の外側に流して次のスプレーサイクルのために再び計測室を充満する。
【０１２７】
混合室に入る溶媒Ａ及び化学品濃縮液Ｂは、液体通路１１３８を通って上方のスプレーヘッドに移動する前に、完全に混合される。さらに、混合室ＭＣの内側に位置し且つ液体通路１１３８に入る隔離液体ポートを区画している空間隔離支持体１１４６の檻状の構造物に加えて、溶媒及び化学品濃縮液の入口位置が異なることにより混合室内で液体混合を助長するいくらかの攪拌が存在する。
【０１２８】
分与装置１１００が使用されていないときは、混合室内の作業化学品液はボールフロート１１３２及び１１３４によってそれぞれ画定される一方通行弁によりダウンチューブ１１２４及び１１１２を通って下方に移動することができない。これは、溶媒Ａを含むスプレー瓶の汚染を防止し、化学品濃縮液Ｂを含む容器１１２０が混合室ＭＣからの作業液で汚染されることを防止する。
【０１２９】
ボールフロート１１３４上の計測室Ｃ内に位置する化学品濃縮液は、時間の経過とともにある程度混合室中の作業液と混合する。しかしながら、一回または２回のスプレーサイクルの後の操作時に、上記のように計測弁は一定容積の濃縮液を混合室に配送するように働く。
【０１３０】
通常の一首型のスプレー瓶を二首型のスプレー瓶に代えるための別のタイプのアダプタ１２００を図３８に示す。特に、アダプタ１２００は液体通路１２０６に連結する液体通路１２０４を有するアタプタ本体を有する。アダプタ本体１２０２は、内側に螺子部が形成されたキャップ１２０８を備える。螺子付のキャップ１２０８はアダプタ本体１２０２と一体品として成形することができ、あるいはアダプタ本体に回転可能に結合する分離品とすることができる。アダプタ本体１２０２と螺子付のキャップ１２０８との間の結合は、従来のスプレーヘッドの内側螺子付キャップと従来のスプレーヘッドの本体と間の、相対回転及び互いの封止を可能にするタイプの結合と同一にするかまたは類似させることができる。このタイプの構造はアダプタが結合されるスプレー瓶に対するアダプタの相対的な向きを変えることを可能にする。
【０１３１】
内側螺子付キャップ１２０８は、従来の一首スプレー瓶の外側に螺子が付いた首部に連結される。アダプタ本体１２０２は従来のスプレーヘッドの内側螺子付キャップとの結合のための第１の外側螺子付首部１２１０を備える。アダプタ本体１２０２は、また、再使用可能な内側螺子付キャップ１２１４を備えることができる第２の外側螺子付首部１２１２を備える。あるいは、アタプタ本体１２０２は、別のタイプの第２の再封止可能な閉鎖物（例えば、螺子付栓及び内側螺子付首部、ねじれ開放弁、ストップコック型弁等）を備えることができる。
【図面の簡単な説明】
【０１３２】
【図１】図１は、本発明に従うスプレー瓶ディスペンサーの第一の好ましい具体例の側面図である。
【図２】図２は、図１に示されたスプレー瓶ディスペンサーから取り出された、二つの化学品リザーバ及びを小室を画定する３つの分離した室または小室を有する挿入物の透視図である。
【図３】図３は、図２に示した挿入物の平面図である。
【図４】図４は、図２に示した挿入物の底面図である。
【図５】図５は、図１に示したスプレー瓶ディスペンサーの瓶部の口によって支持される挿入物のリップを示す部分詳細図であり、リップは挿入物を瓶中に吊るしている。
【図６】図６Ａは、瓶部の口の中央に位置付けられたダウンチューブを受け入れるための空の中央室を有し且つ４つの化学品リザーバを有する好ましい別の挿入物を示す。  図６Ｂは、図２に示した挿入物の３室の代わりに、４室または小室（すなわち、３つの化学品リザーバ及び１つの空室）を有する好ましい別の挿入物を示す。
【図７】図７は、本発明に従うスプレー瓶ディスペンサーの第二の好ましい具体例の側面図である。
【図８】図８は、図７に示したスプレー瓶ディスペンサーの一つのリザーバを通る詳細な部分横断面図である。
【図９】図９は、図８に示したリザーバの外側表面の正面側の透視図であり、リザーバ内の薄弱な線を示す。
【図１０】図１０は、本発明に従うスプレー瓶ディスペンサーの第三の好ましい具体例の側面図である。
【図１１】図１１は、図１０に示したスプレー瓶ディスペンサーの１つのリザーバの横断面図である。
【図１２】図１２は、本発明に従うスプレー瓶ディスペンサーの第四の好ましい具体例の側面図である。
【図１３】図１３は、図１２に示したスプレー瓶ディスペンサーの一つのリザーバを通る断面図である。
【図１４】図１４は、図１３に示した一つのリザーバの側面図であって、瓶部の側部間を橋渡して、瓶部の側部に両端が連結するリザーバを示す。
【図１５】図１５は、本発明に従うスプレー瓶ディスペンサーの第五の好ましい具体例の側面図である。
【図１６】図１６は、図１５に示したスプレー瓶ディスペンサーのーつのドーナツ型のリザーバの透視図である。
【図１７】図１７Ａは、図１６に示したドーナツ型のリザーバの横断面図である。  図１７Ｂは、図１６に示した別のドーナツ型のリザーバの横断面図である。
【図１８】図１８は、本発明に従うスプレー瓶ディスペンサーの第六の好ましい具体例の側面図である。
【図１９】図１９は、図１８に示したような挿入物の上方リザーバの断面図である。
【図２０】図２０は、図１８に示したような挿入物の中央リザーバの断面図である。
【図２１】図２１は、図１８に示したような挿入物の下方リザーバの断面図である。
【図２２】図２２は、本発明に従うスプレー瓶ディスペンサーの第七の好ましい具体例の側面図である。
【図２３】図２３は、図２２に示した挿入物の縦断面図である。
【図２４】図２４は、本発明に従う機械式コネクターを有する挿入物の側面図である。
【図２５】図２５は、図２４に示したような機械式カプラーの断面図である。
【図２６】図２６は、分離した再充填可能な溶媒容器及び分離した再充填可能な化学品濃縮物容器を有する、本発明に従うスプレーディスペンサーの具体例の概念図である。
【図２７】図２７は、再充填可能な溶媒容器及び再充填可能な化学品濃縮物容器を結合して有する、本発明に従うスプレーディスペンサーの具体例の概念図である。
【図２８】図２８は、ポンプ型スプレーヘッドに連結したダウンチューブをそれぞれ有する再充填可能な溶媒容器及び再充填可能な化学品濃縮物容器を有する、本発明に従うスプレーディスペンサーの具体例の概念図である。
【図２９】図２９Ａは、再充填できない溶媒容器及び再充填できない化学品濃縮物容器を有する、本発明に従うスプレーディスペンサーの概念図である。  図２９Ｂは、再充填できない溶媒容器及び再充填可能な化学品濃縮物容器を有する、本発明に従うスプレーディスペンサーの概念図である。図２９Ｃは、再充填可能な溶媒容器及び再充填可能な化学品濃縮物容器を有する、本発明に従うスプレーディスペンサーの概念図である。
【図３０】図３０Ａは、分離した溶媒容器及び分離した化学品濃縮物容器を有する、本発明に従うスプレーディスペンサーの概念図である。図３０Ｂは、溶媒容器及び化学品濃縮物容器を結合して有する、本発明に従うスプレーディスペンサーの概念図である。図３０Ｃは、より大きな分離した溶媒容器及びより小さな分離した化学品濃縮物容器を有する、本発明に従うスプレーディスペンサーの概念図である。図３０Ｄは、より大きな溶媒容器及びより小さな化学品濃縮物容器を結合して有する、本発明に従うスプレーディスペンサーの概念図である。
【図３１】図３１Ａは、より小さな化学品濃縮物容器をより大きな溶媒容器の底部に配置して有する、本発明に従うスプレーディスペンサーの概念図である。図３１Ｂは、より小さな化学品濃縮物容器をより大きな溶媒容器の側部に配置して有する、本発明に従うスプレーディスペンサーの概念図である。図３１Ｃは、より小さな化学品濃縮物容器をより大きな溶媒容器の頂部に配置して有する、本発明に従うスプレーディスペンサーの概念図である。図３１Ｄは、より小さな化学品濃縮物容器をより大きな溶媒容器の中央に配置して有する、本発明に従うスプレーディスペンサーの概念図である。
【図３２】図３２は、本発明に従うスプレー装置の具体例の部分破断断面図である。
【図３３】図３３は、スプレーヘッドが除去された図３２に示すスプレー装置の具体例の部分破断断面図である。
【図３４】図３４は、図３２及び図の３３に示すスプレー装置に使用されたアダプタの完全組立体の詳細断面図である。
【図３５】図３５は、図３４に示したアダプタを分解した詳細断面図である。
【図３６】図３６は、図３５に示した分解したアダプタの下部本体部の上面図である。
【図３７】図３７は、図３６に示した下部本体部の側方断面図である。
【図３８】図３８は、従来の一首スプレー瓶を二首スプレーに置き換えるための別のタイプのアダプタの側面図である。